(57)【要約】  本開示は、チャネル検出指示方法、端末及びネットワーク装置を開示する。該方法は、物理ダウンリンク制御チャネルＰＤＣＣＨの監視に関連する少なくとも２セットの設定情報を取得することと、少なくとも２セットの設定情報からターゲット設定情報を決定することと、ターゲット設定情報に基づいて、ＰＤＣＣＨを検出することとを含む。【選択図】  図３
2021530944.tif 000002
【特許請求の範囲】
【請求項１】
端末に適用されるチャネル検出指示方法であって、
物理ダウンリンク制御チャネルＰＤＣＣＨの監視に関連する少なくとも２セットの設定情報を取得することと、
前記少なくとも２セットの設定情報からターゲット設定情報を決定することと、
前記ターゲット設定情報に基づいて、前記物理ダウンリンク制御チャネルＰＤＣＣＨを検出することとを含む、チャネル検出指示方法。
【請求項２】
前記物理ダウンリンク制御チャネルＰＤＣＣＨは、少なくとも一種のダウンリンク制御情報ＤＣＩＤＣＩフォーマットに対応し、及び／又は、少なくとも一種の無線ネットワーク一時識別子ＲＮＴＩに対応する、請求項１に記載のチャネル検出指示方法。
【請求項３】
前記少なくとも２セットの設定情報からターゲット設定情報を決定するステップは、
ダウンリンク制御情報ＤＣＩに基づいて、前記少なくとも２セットの設定情報から前記ダウンリンク制御情報ＤＣＩにより指示される１セットの設定情報を選択して前記ターゲット設定情報として決定すること、
又は、
第１のトリガ条件を満たす場合、前記ターゲット設定情報を第１の設定情報から第２の設定情報に切り替えること、
又は、
第２のトリガ条件を満たす場合、前記ターゲット設定情報を前記第２の設定情報から前記第１の設定情報に切り替えることを含み、
前記少なくとも２セットの設定情報のうちの１セットの設定情報である前記第２の設定情報は、前記少なくとも２セットの設定情報のうちの１セットの設定情報である前記第１の設定情報とは異なる、請求項１に記載のチャネル検出指示方法。
【請求項４】
前記第１のトリガ条件は、
所定のダウンリンク制御情報ＤＣＩフォーマットのうちの一種であるターゲットダウンリンク制御情報ＤＣＩフォーマットが搬送されている第１の物理ダウンリンク制御チャネルＰＤＣＣＨを受信したこと、又は、
セル無線ネットワーク一時識別子Ｃ−ＲＮＴＩ及び設定されたスケジューリング無線ネットワーク一時識別子ＣＳ−ＲＮＴＩのうちの少なくとも一種を含むターゲットＲＮＴＩによってスクランブルされた第２の物理ダウンリンク制御チャネルＰＤＣＣＨを受信したことを含む、請求項３に記載のチャネル検出指示方法。
【請求項５】
第１のトリガ条件を満たす場合、前記ターゲット設定情報を第１の設定情報から第２の設定情報に切り替えるステップは、
不連続受信ＤＲＸシナリオにおいて、ＤＲＸサイクルのアクティブ期間に前記第１の物理ダウンリンク制御チャネルＰＤＣＣＨ又は前記第２の物理ダウンリンク制御チャネルＰＤＣＣＨを受信すると、前記ターゲット設定情報を第１の設定情報から第２の設定情報に切り替えることを含む、請求項４に記載のチャネル検出指示方法。
【請求項６】
前記第２のトリガ条件は、
スロットｓｌｏｔ、ミニスロットｍｉｎｉ−ｓｌｏｔ、ミリ秒又は時間領域シンボルを含むＮ（Ｎが正の整数である）個の時間領域送信ユニットにおいて、ターゲットダウンリンク制御情報ＤＣＩフォーマットが搬送されているか、又はセル無線ネットワーク一時識別子Ｃ−ＲＮＴＩ及びスケジューリング無線ネットワーク一時識別子ＣＳ−ＲＮＴＩのうちの少なくとも一種を含むターゲットＲＮＴＩによってスクランブルされているターゲット物理ダウンリンク制御チャネルＰＤＣＣＨを受信しないことと、
不連続受信ＤＲＸシナリオにおいて、ＤＲＸサイクルの非アクティブタイマーがタイムアウトすることと、
ＤＲＸ共通媒体アクセス制御ＭＡＣ層の制御要素ＣＥを受信すると、ＭＡＣ層ＣＥの指示に基づいて、ＤＲＸサイクルのスリープ期間に入ることと、のうちの１つを含む、請求項３に記載のチャネル検出指示方法。
【請求項７】
前記ＤＲＸサイクルは、ＤＲＸ短期サイクル又はＤＲＸ長期サイクルを含む、請求項５又は６に記載のチャネル検出指示方法。
【請求項８】
前記ＤＲＸ短期サイクル及び前記ＤＲＸ長期サイクルは、異なる第１の設定情報に対応するか、又は同一の第１の設定情報に対応する、請求項７に記載のチャネル検出指示方法。
【請求項９】
前記Ｎは、予め定義されるものであるか、又はネットワーク装置によって設定されるものである、請求項６に記載のチャネル検出指示方法。
【請求項１０】
前記設定情報は、
少なくとも１つの制御リソースセットと、
少なくとも１つのサーチスペースと、
少なくとも１つの物理ダウンリンク制御チャネルＰＤＣＣＨ候補と、
少なくとも１つのアグリゲーションレベルと、
前記物理ダウンリンク制御チャネルＰＤＣＣＨ候補の数と、
各スロットにおいて監視される前記物理ダウンリンク制御チャネルＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む、請求項３に記載のチャネル検出指示方法。
【請求項１１】
前記第１の設定情報と前記第２の設定情報との関係は、
前記設定情報が少なくとも１つの制御リソースセットを含む場合、前記第１の設定情報により指示される制御リソースセットの数が、前記第２の設定情報により指示される制御リソースセットの数より大きいことと、
前記設定情報が少なくとも１つのサーチスペースを含む場合、前記第１の設定情報により指示されるサーチスペースの数が、前記第２の設定情報により指示されるサーチスペースの数より大きいことと、
前記設定情報が少なくとも１つの物理ダウンリンク制御チャネルＰＤＣＣＨ候補又は前記物理ダウンリンク制御チャネルＰＤＣＣＨ候補の数を含む場合、前記第１の設定情報により指示される物理ダウンリンク制御チャネルＰＤＣＣＨ候補の数が、前記第２の設定情報により指示される物理ダウンリンク制御チャネルＰＤＣＣＨ候補の数より大きいことと、
前記設定情報が少なくとも１つのアグリゲーションレベルを含む場合、前記第１の設定情報により指示されるアグリゲーションレベル数が、前記第２の設定情報により指示されるアグリゲーションレベル数より大きいことと、
前記設定情報が各スロットにおいて監視される前記物理ダウンリンク制御チャネルＰＤＣＣＨ候補の最大数を含む場合、前記第１の設定情報により指示される最大数が、前記第２の設定情報により指示される最大数より大きいことと、
前記設定情報が監視パラメータを含む場合、前記第１の設定情報により指示される監視サイクルが、前記第２の設定情報により指示される監視サイクルより小さいことと、のうちの少なくとも１つを含む、請求項１０に記載のチャネル検出指示方法。
【請求項１２】
ダウンリンク制御情報ＤＣＩに基づいて、前記少なくとも２セットの設定情報から前記ダウンリンク制御情報ＤＣＩにより指示される１セットの設定情報を選択して前記ターゲット設定情報として決定するステップの前に、
前記ダウンリンク制御情報ＤＣＩを検出することと、
前記ダウンリンク制御情報ＤＣＩの検出結果に基づいて、応答情報又は非応答情報ＡＣＫ／ＮＡＣＫをネットワーク装置にフィードバックすることとをさらに含む、請求項３に記載のチャネル検出指示方法。
【請求項１３】
前記ダウンリンク制御情報ＤＣＩは、スケジューリングダウンリンク制御情報ＤＣＩ又は非スケジューリングダウンリンク制御情報ＤＣＩである、請求項３に記載のチャネル検出指示方法。
【請求項１４】
少なくとも２セットの設定情報を取得するステップの前に、
ネットワーク装置に報告情報を送信することをさらに含み、
前記報告情報は、
ＤＲＸ短期サイクル又はＤＲＸ長期サイクルを含むＤＲＸサイクルのアクティブ期間に対応する第１の設定情報候補と、
前記ＤＲＸサイクル内の非アクティブタイマーの計時期間に対応する第２の設定情報候補と、
接続状態でのＤＲＸオフ期間に対応する第３の設定情報候補とのうちの少なくとも１つを指示する、請求項１に記載のチャネル検出指示方法。
【請求項１５】
前記少なくとも２セットの設定情報は、予め定義されるものであるか、又は、ネットワーク装置が無線リソース制御ＲＲＣシグナリングにより設定されるものである、請求項１に記載のチャネル検出指示方法。
【請求項１６】
物理ダウンリンク制御チャネルＰＤＣＣＨの監視に関連する少なくとも２セットの設定情報を取得する取得モジュールと、
前記少なくとも２セットの設定情報からターゲット設定情報を決定する処理モジュールと、
前記ターゲット設定情報に基づいて、前記物理ダウンリンク制御チャネルＰＤＣＣＨを検出する検出モジュールとを含む、端末。
【請求項１７】
プロセッサと、メモリと、前記メモリに記憶されて前記プロセッサ上で実行可能なプログラムを含み、前記プログラムが前記プロセッサによって実行されると、請求項１〜１５のいずれか１項に記載のチャネル検出指示方法のステップを実現する、端末。
【請求項１８】
ネットワーク装置に適用されるチャネル検出指示方法であって、
無線リソース制御ＲＲＣシグナリングにより、物理ダウンリンク制御チャネルＰＤＣＣＨの監視に関連する少なくとも２セットの設定情報を端末に送信することを含む、チャネル検出指示方法。
【請求項１９】
前記物理ダウンリンク制御チャネルＰＤＣＣＨは、少なくとも一種のダウンリンク制御情報ＤＣＩフォーマットに対応し、及び／又は、少なくとも一種の無線ネットワーク一時識別子ＲＮＴＩに対応する、請求項１８に記載のチャネル検出指示方法。
【請求項２０】
前記設定情報は、
少なくとも１つの制御リソースセットと、
少なくとも１つのサーチスペースと、
少なくとも１つの物理ダウンリンク制御チャネルＰＤＣＣＨ候補と、
少なくとも１つのアグリゲーションレベルと、
前記物理ダウンリンク制御チャネルＰＤＣＣＨ候補の数と、
各スロットにおいて監視される前記物理ダウンリンク制御チャネルＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む、請求項１８に記載のチャネル検出指示方法。
【請求項２１】
少なくとも２セットの設定情報を端末に送信するステップの後に、
前記少なくとも２セットの設定情報のうちのターゲット設定情報を指示するためのダウンリンク制御情報ＤＣＩを前記端末に送信することをさらに含む、請求項１８に記載のチャネル検出指示方法。
【請求項２２】
前記ダウンリンク制御情報ＤＣＩは、スケジューリングダウンリンク制御情報ＤＣＩ又は非スケジューリングダウンリンク制御情報ＤＣＩである、請求項２１に記載のチャネル検出指示方法。
【請求項２３】
ダウンリンク制御情報ＤＣＩを前記端末に送信するステップの後に、
前記端末が前記ダウンリンク制御情報ＤＣＩを検出したか否かに応じてフィードバックする応答情報又は非応答情報ＡＣＫ／ＮＡＣＫを受信することをさらに含む、請求項２１に記載のチャネル検出指示方法。
【請求項２４】
少なくとも２セットの設定情報を端末に送信するステップの前に、
報告情報を受信することをさらに含み、
前記報告情報は、
前記端末がＤＲＸ短期サイクル又はＤＲＸ長期サイクルを含むＤＲＸサイクルのアクティブ期間にあるときに対応する第１の設定情報候補と、
前記端末が上記ＤＲＸサイクル内の非アクティブタイマーの計時期間にあるときに対応する第２の設定情報候補と、
前記端末が接続状態でのＤＲＸオフ期間にあるときに対応する第３の設定情報候補とのうちの少なくとも１つを指示する、請求項１８に記載のチャネル検出指示方法。
【請求項２５】
無線リソース制御ＲＲＣシグナリングにより、物理ダウンリンク制御チャネル物理ダウンリンク制御チャネルＰＤＣＣＨの監視に関連する少なくとも２セットの設定情報を端末に送信する第１の送信モジュールを含む、ネットワーク装置。
【請求項２６】
プロセッサと、メモリと、前記メモリに記憶されて前記プロセッサ上で実行可能なプログラムとを含み、前記プログラムが前記プロセッサによって実行されると、請求項１８〜２４のいずれか１項に記載のチャネル検出指示方法のステップを実現する、ネットワーク装置。
【請求項２７】
プロセッサによって実行されると、請求項１〜１５又は１８〜２４のいずれか１項に記載のチャネル検出指示方法のステップを実現するプログラムが記憶されているコンピュータ可読記憶媒体。
【発明の詳細な説明】
【技術分野】
【０００１】
（関連出願の相互参照）
本願は、２０１８年７月２０日に提出された中国特許出願第２０１８１０８０６６３９．７号の優先権を主張するものであり、その全ての内容は参照により本願に組み込まれるものとする。
本開示は、通信の技術分野に関し、特にチャネル検出指示方法、端末及びネットワーク装置に関する。
【背景技術】
【０００２】
ＬＴＥ移動通信システムにおいて、端末の省電力化のために不連続受信（Ｄｉｓｃｏｎｔｉｎｕｏｕｓ  Ｒｅｃｅｐｔｉｏｎ、ＤＲＸ）メカニズムを提供しており、ＤＲＸシナリオにおいて、接続（ｃｏｎｎｅｃｔｅｄ）モードにある端末に１つのＤＲＸサイクル（ｃｙｃｌｅ）を設定し、図１に示すように、該ＤＲＸサイクルは、アクティブ期間（Ｏｎ  Ｄｕｒａｔｉｏｎ）とスリープ期間（Ｏｐｐｏｒｔｕｎｉｔｙ  ｆｏｒ  ＤＲＸ）を含み、アクティブ期間において、端末が物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視して受信し、スリープ期間において、端末がダウンリンクチャネルのデータを受信しない。多くの場合、１つの端末が、あるサブフレームでスケジューリングされデータを受信又は送信した後、次のいくつかのサブフレームで継続的にスケジューリングされる可能性が高いため、端末は、スケジューリングされた後にアクティブ期間にあり続け、すなわち、設定されたアクティブ期間においてＰＤＣＣＨを継続的に監視する。具体的には、端末がスケジューリングされてデータを初送する場合、１つの非アクティブタイマー（ｄｒｘ−Ｉｎａｃｔｉｖｉｔｙ  Ｔｉｍｅｒ）を起動又は再起動し、該タイマーがタイムアウトしていない期間において、端末は、常にアクティブ期間にある。ＰＤＣＣＨの監視パラメータ（例えば、監視サイクルなど）は、いずれもネットワーク装置が無線リソース制御（Ｒａｄｉｏ  Ｒｅｓｏｕｒｃｅ  Ｃｏｎｔｒｏｌ、ＲＲＣ）シグナリングにより端末に通知されるものである。このように、端末の異なるシナリオ（例えば、上記アクティブ期間及び非アクティブタイマーの計時期間）での監視パラメータが同じであり、例えば、アクティブ期間においてサービスパッケージが到達するサイクルが２０ｍｓであり、非アクティブタイマーの計時期間においてサービスパッケージが到達するサイクルが２ｍｓであり、ネットワーク装置によって設定されたＰＤＣＣＨの検出サイクルが２ｍｓであれば、端末がＰＤＣＣＨを頻繁にブラインド検出するが、グラント情報（アップリンクグラント及びダウンリンクグラントを含む）が検出されず、端末の省電力化には不利である。ネットワーク装置によって設定されたＰＤＣＣＨの検出サイクルが２０ｍｓであれば、非アクティブタイマーの計時期間において到達するＰＤＣＣＨを見逃してしまい、伝送の信頼性が低い。
【発明の概要】
【発明が解決しようとする課題】
【０００３】
本開示の実施例は、異なるシナリオで同じＰＤＣＣＨ監視パラメータを使用すれば、不合理的なＰＤＣＣＨ検出を引き起こし、端末の余分な電力消費をもたらし、伝送の信頼性が低くなるという問題を解決するために、チャネル検出指示方法、端末及びネットワーク装置を提供する。
【課題を解決するための手段】
【０００４】
第１の態様では、本開示の実施例に係る、端末に適用されるチャネル検出指示方法は、
物理ダウンリンク制御チャネルＰＤＣＣＨの監視に関連する少なくとも２セットの設定情報を取得することと、
少なくとも２セットの設定情報からターゲット設定情報を決定することと、
ターゲット設定情報に基づいて、ＰＤＣＣＨを検出することとを含む。
【０００５】
第２の態様では、本開示の実施例に係る端末は、
物理ダウンリンク制御チャネルＰＤＣＣＨの監視に関連する少なくとも２セットの設定情報を取得する取得モジュールと、
少なくとも２セットの設定情報からターゲット設定情報を決定する処理モジュールと、
ターゲット設定情報に基づいて、ＰＤＣＣＨを検出する検出モジュールとを含む。
【０００６】
第３の態様では、本開示の実施例に係る端末は、プロセッサと、メモリと、メモリに記憶されてプロセッサ上で実行可能なプログラムとを含み、該プログラムがプロセッサによって実行されると、第１の態様に記載のチャネル検出指示方法のステップを実現する。
【０００７】
第４の態様では、本開示の実施例に係る、ネットワーク装置に適用されるチャネル検出指示方法は、
無線リソース制御ＲＲＣシグナリングにより、物理ダウンリンク制御チャネルＰＤＣＣＨの監視に関連する少なくとも２セットの設定情報を端末に送信することを含む。
【０００８】
第５の態様では、本開示の実施例に係るネットワーク装置は、
無線リソース制御ＲＲＣシグナリングにより、物理ダウンリンク制御チャネルＰＤＣＣＨの監視に関連する少なくとも２セットの設定情報を端末に送信する第１の送信モジュールを含む。
【０００９】
第６の態様では、本開示の実施例に係るネットワーク装置は、プロセッサと、メモリと、メモリに記憶されてプロセッサ上で実行可能なプログラムとを含み、該プログラムがプロセッサによって実行されると、第４の態様に記載のチャネル検出指示方法のステップを実現する。
【００１０】
第７の態様では、本開示の実施例に係るコンピュータ可読記憶媒体には、プロセッサによって実行されると、上記端末側又はネットワーク装置側のチャネル検出指示方法のステップを実現するプログラムが記憶されている。
【発明の効果】
【００１１】
このように、本開示の実施例は、上記技術手段を使用することにより、異なるシナリオにおけるＰＤＣＣＨの監視を満たし、余分な電力消費を発生させずに伝送効率を向上させることができる。
【００１２】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００１３】
【図１】ＤＲＸサイクルの時間領域を示す概略図である。
【図２】本開示の実施例が適用される移動通信システムを示すブロック図である。
【図３】本開示の実施例に係る端末のチャネル検出指示方法を示すフローチャートである。
【図４】本開示の実施例に係る端末のモジュールの構造を示す概略図である。
【図５】本開示の実施例に係る端末を示すブロック図である。
【図６】本開示の実施例に係るネットワーク装置のチャネル検出指示方法を示すフローチャートである。
【図７】本開示の実施例に係るネットワーク装置のモジュールの構造を示す概略図である。
【図８】本開示の実施例に係るネットワーク装置を示すブロック図である。
【発明を実施するための形態】
【００１４】
以下、図面を参照しながら本開示の例示的な実施例をより詳細に説明する。図面に本開示の例示的な実施例が示されるが、本開示は、様々な形態で実現することができ、ここに記載した実施例によって限定されないと理解すべきである。逆に、これらの実施例を提供することは、本開示をより徹底的に理解し、かつ本開示の範囲を完全に当業者に伝えるためである。
【００１５】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示又は説明以外の順序でも実施できるように、このように使用されたデータは、適宜入れ替えてもよいことを理解されたい。また、用語「含む」、「備える」及びそれらのいかなる変形は、非排他的な包含をカバーすることを意図され、例えば、一連のステップ又はユニットを含む過程、方法、システム、製品又は設備は、明確に挙げたステップ又はユニットに限定されず、明確に挙げていないか又はこれらの過程、方法、システム、製品又は設備に固有の他のステップ又はユニットを含んでもよい。明細書及び特許請求の範囲における「及び／又は」は、接続対象の少なくとも１つを表す。
【００１６】
本明細書で説明される技術は、ロングタームエボリューション（Ｌｏｎｇ  Ｔｅｒｍ  Ｅｖｏｌｕｔｉｏｎ、ＬＴＥ）／ＬＴＥアドバンスト（ＬＴＥ−Ａｄｖａｎｃｅｄ、ＬＴＥ−Ａ）システムに限定されず、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、時分割多重アクセス（Ｔｉｍｅ  Ｄｉｖｉｓｉｏｎ  Ｍｕｌｔｉｐｌｅ  Ａｃｃｅｓｓ、ＴＤＭＡ）、周波数分割多重アクセス（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多重アクセス（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）、その他のシステムなどの様々な無線通信システムにも用いることができる。用語「システム」及び「ネットワーク」は、常に互換的に使用されている。本明細書で説明される技術は、上述のシステム及び無線技術に用いられてもよく、その他のシステム及び無線技術に用いられてもよい。しかしながら、これらの技術はＮＲシステムの適用例以外にも適用可能であるが、以下の説明は、例示を目的にＮＲシステムについて説明し、以下の説明の多くにおいてＮＲ用語が使用される。
【００１７】
以下の説明は、例を提供するものであり、特許請求の範囲に記載された範囲、適用性又は構成を限定するものではない。本開示の範囲から逸脱しない限り、検討された要素の機能及び配置を変更してもよい。様々な例では、様々な手順又は構成部品を適宜に省略、置換又は追加してもよい。例えば、説明した方法を、説明した順序と異なる順序で実行してもよく、また、様々なステップを追加、省略するか又は組み合わせてもよい。また、いくつかの例を参照して説明した特徴は、他の例で組み合わせてもよい。
【００１８】
図２は、本開示の実施例が適用される無線通信システムを示すブロック図である。無線通信システムは、端末２１及びネットワーク装置２２を含む。端末２１は、端末装置又はユーザ端末（Ｕｓｅｒ  Ｅｑｕｉｐｍｅｎｔ、ＵＥ）と称され得る。端末２１は、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）又は車載装置などの端末側装置であってよく、なお、本開示の実施例において、端末２１の具体的なタイプを限定しない。ネットワーク装置２２は、基地局又はコアネットワークであってよく、上記基地局は、５Ｇ（第５世代）及びこれ以降のバージョンの基地局（例えば、ｇＮＢ、５Ｇ  ＮＲ  ＮＢなど）、又は他の通信システムにおける基地局（例えば、ｅＮＢ、ＷＬＡＮアクセスポイント、又は他のアクセスポイントなど）であってよく、基地局は、ノードＢ、進化型ノードＢ、アクセスポイント、ベーストランシーバ基地局（Ｂａｓｅ  Ｔｒａｎｓｃｅｉｖｅｒ  Ｓｔａｔｉｏｎ、ＢＴＳ）、無線基地局、無線トランシーバ、基本サービスセット（Ｂａｓｉｃ  Ｓｅｒｖｉｃｅ  Ｓｅｔ、ＢＳＳ）、拡張サービスセット（Ｅｘｔｅｎｄｅｄ  Ｓｅｒｖｉｃｅ  Ｓｅｔ、ＥＳＳ）、ノードＢ、進化型ノードＢ（ｅＮＢ）、ホームノードＢ、ホーム進化型ノードＢ、無線ローカルエリアネットワーク（Ｗｉｒｅｌｅｓｓ  Ｌｏｃａｌ  Ａｒｅａ  Ｎｅｔｗｏｒｋ、ＷＬＡＮ）アクセスポイント、ＷｉＦｉノード、又は前記分野における他の何らかの適切な用語と呼ばれてもよく、同様の技術的効果が達成される限り、前記基地局は、特定の技術用語に限定されず、なお、本開示の実施例において、ＮＲシステムにおける基地局のみを例に説明するが、基地局の具体的なタイプを限定しない。
【００１９】
基地局は、基地局コントローラの制御で端末２１と通信することができる。様々な例では、基地局コントローラは、コアネットワーク又はいくつかの基地局の一部であってよい。いくつかの基地局は、バックホールによりコアネットワークと制御情報又はユーザデータを通信することができる。いくつかの例では、これらの基地局のうちの一部は、有線又は無線通信リンクであるバックホールリンクにより直接的又は間接的に互いに通信することができる。無線通信システムは、複数のキャリア（異なる周波数の波形信号）上での動作をサポートすることができる。マルチキャリア送信機は、変調された信号を複数のキャリア上で同時に送信することができる。例えば、様々な無線技術に従って変調されたマルチキャリア信号が各通信リンクで送信されてよい。各変調された信号は、異なるキャリア上で送信され、制御情報（例えば、参照信号、制御チャネルなど）、オーバヘッド情報、データなどを搬送することができる。
【００２０】
基地局は、１つ以上のアクセスポイントアンテナを介して端末２１と無線通信することができる。各基地局は、それぞれ対応するカバレッジエリアに通信カバレージを提供することができる。アクセスポイントのカバレッジエリアは、該カバレッジエリアの一部のみとなるセクタに分割されてよい。無線通信システムは、異なるタイプの基地局（例えば、マクロ基地局、マイクロ基地局、又はピコ基地局）を含んでよい。基地局は、セルラー又はＷＬＡＮ無線アクセス技術などの様々な無線技術を利用してもよい。基地局は、同じ又は異なるアクセスネットワーク又は事業者の展開に関連付けられてよい。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）が重なってよい。
【００２１】
無線通信システムにおける通信リンクは、アップリンク（Ｕｐｌｉｎｋ、ＵＬ）伝送（例えば、端末２１からネットワーク装置２２への伝送）を載せるためのアップリンク、又はダウンリンク（Ｄｏｗｎｌｉｎｋ、ＤＬ）伝送（例えば、ネットワーク装置２２から端末２１への伝送）を載せるためのダウンリンクを含んでよい。アップリンクＵＬ伝送は、逆方向リンク伝送とも呼ばれてもよく、ダウンリンクＤＬ伝送は、順方向リンク伝送とも呼ばれてもよい。
【００２２】
本開示の実施例に係る、端末側に適用されるチャネル検出指示方法は、図３に示すように、以下のステップ３１〜３３を含む。
【００２３】
ステップ３１では、物理ダウンリンク制御チャネルＰＤＣＣＨの監視に関連する少なくとも２セットの設定情報を取得する。
【００２４】
この少なくとも２セットの設定情報は、それぞれ異なるシナリオにおけるＰＤＣＣＨの監視に対応する。例えば、少なくとも２セットの設定情報は、接続状態、ＤＲＸ長期サイクル及びＤＲＸ短期サイクルでの端末のＰＤＣＣＨの監視に用いられる設定情報１、設定情報２及び設定情報３を含む。
【００２５】
この少なくとも２セットの設定情報は、予め定義されるもの（例えば、プロトコルによる約定）であってもよく、ネットワーク装置が無線リソース制御（Ｒａｄｉｏ  Ｒｅｓｏｕｒｃｅ  Ｃｏｎｔｒｏｌ、ＲＲＣ）シグナリング又は他のタイプのシグナリングにより設定されるものであってもよい。
【００２６】
ステップ３２では、少なくとも２セットの設定情報からターゲット設定情報を決定する。
【００２７】
少なくとも２セットの設定情報からシナリオ要件を満たす１セットをターゲット設定情報として選択し、好ましくは、少なくとも２セットの設定情報から現在のシナリオ要件に最も適合する１セットをターゲット設定情報として選択する。例えば、現在の端末が接続状態にあれば、設定情報１をターゲット設定情報として選択し、現在の端末がＤＲＸ長期サイクルにあれば、設定情報２をターゲット設定情報として選択する。
【００２８】
ステップ３３では、ターゲット設定情報に基づいて、ＰＤＣＣＨを検出する。
【００２９】
このように、少なくとも２セットの設定情報から現在のシナリオにおけるＰＤＣＣＨの監視要件に最も適合する１セットをターゲット設定情報として選択することにより、異なるシナリオにおけるＰＤＣＣＨの監視を満たし、余分な電力消費を発生させずに伝送効率を向上させることができる。
【００３０】
本開示の実施例におけるＰＤＣＣＨは、少なくとも一種のＤＣＩフォーマット（ｆｏｒｍａｔ）に対応し、及び／又は、少なくとも一種の無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）に対応する。ＤＣＩフォーマットは、以下の表１に示すフォーマットを含むが、これらに限定されない。
【００３１】
【表１】
2021530944.tif 000003
【００３２】
ＤＣＩフォーマット（ｆｏｒｍａｔ）  ０＿０、０＿１、１＿０、１＿１は、スケジューリングＤＣＩであり、他は、非スケジューリングＤＣＩである。
【００３３】
好ましくは、ＰＤＣＣＨは、予め設定されたスケジューリングＤＣＩフォーマットの少なくとも１つに対応し、例えば、ＤＣＩフォーマット（ｆｏｒｍａｔ）  ０＿０、０＿１、１＿０、１＿１の少なくとも１つに対応する。
【００３４】
さらに、システムは、以下の様々なタイプのＲＮＴＩをサポートするが、これらに限定されない。
【００３５】
（１）、システム情報無線ネットワーク一時識別子（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｔｙ、ＳＩ−ＲＮＴＩ）
（２）、ランダムアクセス無線ネットワーク一時識別子（Ｒａｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｔｙ、ＲＡ−ＲＮＴＩ）
（３）、一時セル無線ネットワーク一時識別子（Ｔｅｍｐｏｒａｒｙ  Ｃｅｌｌ  Ｒａｄｉｏ  Ｎｅｔｗｏｒｋ  Ｔｅｍｐｏｒａｒｙ  Ｉｄｅｎｔｉｔｙ、ＴＣ−ＲＮＴＩ）
（４）、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｔｙ、Ｃ−ＲＮＴＩ）
（５）、ページング無線ネットワーク一時識別子（Ｐａｇｉｎｇ  Ｒａｄｉｏ  Ｎｅｔｗｏｒｋ  Ｔｅｍｐｏｒａｒｙ  Ｉｄｅｎｔｉｔｙ、Ｐ−ＲＮＴＩ）
（６）、割り込み伝送無線ネットワーク一時識別子（Ｉｎｔｅｒｒｕｐｔｅｄ  Ｔｒａｎｓｍｉｓｓｉｏｎ  Ｒａｄｉｏ  Ｎｅｔｗｏｒｋ  Ｔｅｍｐｏｒａｒｙ  Ｉｄｅｎｔｉｔｙ、ＩＮＴ−ＲＮＴＩ）
（７）、スロットフォーマットインジケータ無線ネットワーク一時識別子（Ｓｌｏｔ  Ｆｏｒｍａｔ  Ｉｎｄｉｃａｔｏｒ  Ｒａｄｉｏ  Ｎｅｔｗｏｒｋ  Ｔｅｍｐｏｒａｒｙ  Ｉｄｅｎｔｉｔｙ、ＳＦＩ−ＲＮＴＩ）
（８）、ＰＵＳＣＨ送信電力制御（Ｔｒａｎｓｍｉｔ  Ｐｏｗｅｒ  Ｃｏｎｔｒｏｌ、ＴＰＣ）無線ネットワーク一時識別子（ＴＰＣ  ｏｆ  ＰＵＳＣＨ  Ｒａｄｉｏ  Ｎｅｔｗｏｒｋ  Ｔｅｍｐｏｒａｒｙ  Ｉｄｅｎｔｉｔｙ、ＴＰＣ−ＰＵＳＣＨ−ＲＮＴＩ）
（９）、ＰＵＣＣＨのＴＰＣ無線ネットワーク一時識別子（ＴＰＣ  ｏｆ  ＰＵＣＣＨ  Ｒａｄｉｏ  Ｎｅｔｗｏｒｋ  Ｔｅｍｐｏｒａｒｙ  Ｉｄｅｎｔｉｔｙ、ＴＰＣ−ＰＵＣＣＨ−ＲＮＴＩ）
（１０）、設定されたスケジューリング無線ネットワーク一時識別子（Ｃｏｎｆｉｇｕｒｅｄ  Ｓｃｈｅｄｕｌｉｎｇ  Ｒａｄｉｏ  Ｎｅｔｗｏｒｋ  Ｔｅｍｐｏｒａｒｙ  Ｉｄｅｎｔｉｔｙ、ＣＳ−ＲＮＴＩ）
（１１）半永続無線ネットワーク一時識別子（Ｓｅｍｉ−ｐｅｒｓｉｓｔｅｎｔ  Ｒａｄｉｏ  Ｎｅｔｗｏｒｋ  Ｔｅｍｐｏｒａｒｙ  Ｉｄｅｎｔｉｔｙ、ＳＰ−ＲＮＴＩ）。
【００３６】
好ましくは、ＰＤＣＣＨは、Ｃ−ＲＮＴＩ及びＣＳ−ＲＮＴＩのうちの少なくとも１つに対応する。
【００３７】
本開示の実施例におけるステップ３２は、以下の方式１、方式２及び方式３を参照して実現されてよいが、これらに限定されない。
【００３８】
方式１では、ダウンリンク制御情報（Ｄｏｗｎｌｉｎｋ  Ｃｏｎｔｒｏｌ  Ｉｎｆｏｒｍａｔｉｏｎ、ＤＣＩ）に基づいて、少なくとも２セットの設定情報からＤＣＩにより指示される１セットを選択してターゲット設定情報として決定する。
【００３９】
ここで説明されるＤＣＩは、スケジューリング（Ｓｃｈｅｄｕｌｉｎｇ）ＤＣＩであってもよく、非スケジューリング（ｎｏｎ−Ｓｃｈｅｄｕｌｉｎｇ）ＤＣＩであってもよい。すなわち、ネットワーク装置は、無線リソース制御ＲＲＣにより、異なるシナリオにおけるＰＤＣＣＨの監視に関する少なくとも２セットの設定情報を設定し、１セットを選択してＰＤＣＣＨの監視に用いるようにＤＣＩにより端末に動的に指示する。或いは、異なるシナリオにおけるＰＤＣＣＨの監視に関する少なくとも２セットの設定情報を予め定義し、ネットワーク装置は、そのうちの１セットを選択してＰＤＣＣＨの監視に用いるようにＤＣＩにより端末に動的に指示する。このように、異なるシナリオにおけるＰＤＣＣＨの監視を満たし、余分な電力消費を発生させずに伝送効率を向上させることができる。
【００４０】
該方式では、ステップ３２の前に、ＤＣＩを検出することと、ＤＣＩの検出結果に基づいて、応答情報又は非応答情報ＡＣＫ／ＮＡＣＫをネットワーク装置にフィードバックすることとをさらに含む。具体的には、ＤＣＩを検出すると、ネットワーク装置にＡＣＫをフィードバックするか、又は、ＤＣＩを検出しなければ、ネットワーク装置にＮＡＣＫをフィードバックする。ここでは、端末がＡＣＫのみを送信するように定義されれば、端末は、ＤＣＩを受信した場合、ＡＣＫをフィードバックし、ＤＣＩを受信しなかった場合、フィードバック情報を送信しない。ここでは、端末がＮＡＣＫのみを送信するように定義されれば、端末は、ＤＣＩを受信した場合、フィードバック情報を送信せず、ＤＣＩを受信しなかった場合、ＮＡＣＫをフィードバックする。端末がＡＣＫを送信してもよく、ＮＡＣＫを送信してもよいように定義されれば、端末は、ＤＣＩを受信した場合、応答ＡＣＫをフィードバックし、ＤＣＩを受信しなかった場合、ＮＡＣＫをフィードバックする。
【００４１】
方式２では、第１のトリガ条件を満たす場合、ターゲット設定情報を第１の設定情報から第２の設定情報に切り替える。
【００４２】
少なくとも２セットの設定情報のうちの１セットである第２の設定情報は、少なくとも２セットの設定情報のうちの１セットである第１の設定情報とは異なる。第１のトリガ条件は、一般的には、異なるシナリオでの切り替え条件又は同一のシナリオでの異なる要件の切り替え条件である。例えば、第１のトリガ条件は、以下を含む。
【００４３】
１）ターゲットＤＣＩフォーマットが搬送されている第１のＰＤＣＣＨを受信した。ターゲットＤＣＩフォーマットが所定のＤＣＩフォーマットのうちの一種であり、すなわち、ターゲットＤＣＩフォーマットが上記表１に挙げられたＤＣＩフォーマットのうちの一種であってよく、好ましくは、ターゲットＤＣＩフォーマットがスケジューリングＤＣＩフォーマットであってよく、すなわち、上記表１に挙げられたスケジューリングＤＣＩフォーマットのうちの一種である。ここで、第１のＰＤＣＣＨを受信した時期は、接続状態であってもよく、ＤＲＸサイクルのアクティブ期間（Ｏｎ  ｄｕｒａｔｉｏｎ）であってもよい。ＤＲＸサイクルのアクティブ期間は、ＲＲＣシグナリング内のＤＲＸアクティブタイマー（ｄｒｘ−ｏｎＤｕｒａｔｉｏｎＴｉｍｅｒ）パラメータにより指示され、１つのＤＲＸサイクルにおいて端末が起動した後のオンライン時間を表示する。
【００４４】
２）ターゲットＲＮＴＩによってスクランブルされた第２のＰＤＣＣＨを受信した。ターゲットＲＮＴＩがセル無線ネットワーク一時識別子Ｃ−ＲＮＴＩ及び設定されたスケジューリング無線ネットワーク一時識別子ＣＳ−ＲＮＴＩのうちの少なくとも一種を含む。また、ターゲットＲＮＴＩは、上記挙げられた他の形式のＲＮＴＩを含んでもよい。第１のＰＤＣＣＨと同様に、第２のＰＤＣＣＨを受信した時期は、接続状態であってもよく、ＤＲＸサイクルのアクティブ期間であってもよい。
【００４５】
ＤＲＸシナリオを例として、ＤＲＸサイクルのアクティブ期間に第１のＰＤＣＣＨ又は第２のＰＤＣＣＨを受信すると、ターゲット設定情報を第１の設定情報から第２の設定情報に切り替える。例えば、端末は、異なるＰＤＣＣＨ監視用の少なくとも２セットの設定情報を受信した。第１のセット（第１の設定情報）は、ＤＲＸサイクルのアクティブ期間において第１のＰＤＣＣＨ又は第２のＰＤＣＣＨを受信する前に用いられ、第１のＰＤＣＣＨ又は第２のＰＤＣＣＨを受信した後にターゲット設定情報を第１のセットから第２のセット（第２の設定情報）に切り替える。
【００４６】
方式３では、第２のトリガ条件を満たす場合、ターゲット設定情報を第２の設定情報から第１の設定情報に切り替える。
【００４７】
少なくとも２セットの設定情報のうちの１セットである第２の設定情報は、少なくとも２セットの設定情報のうちの１セットである第１の設定情報とは異なる。第１のトリガ条件と同様に、第２のトリガ条件も、一般的には、異なるシナリオでの切り替え条件又は同一のシナリオでの異なる要件の切り替え条件である。例えば、第２のトリガ条件は、以下を含む。
【００４８】
１）Ｎ個の時間領域送信ユニットにおいてターゲットＰＤＣＣＨを受信していない。ターゲットＰＤＣＣＨは、ターゲットＤＣＩフォーマットを搬送しているか、又はＣ−ＲＮＴＩ及びＣＳ−ＲＮＴＩのうちの少なくとも一種を含むターゲットＲＮＴＩによってスクランブルされる。また、ターゲットＲＮＴＩは、上記挙げられた他の形式のＲＮＴＩを含んでもよい。さらに、上記時間領域送信ユニットは、スロットｓｌｏｔ、ミニスロットｍｉｎｉ−ｓｌｏｔ、ミリ秒又は時間領域シンボル（例えば、ＯＦＤＭシンボル）を含んで、Ｎが正の整数である。ここで、Ｎは、予め定義されたものであるか、又はネットワーク装置によって設定されるものである。
【００４９】
好ましくは、Ｎ個の時間領域送信ユニットは、Ｎ個のダウンリンク時間領域送信ユニットであってもよく、Ｎ個のダウンリンクリンク又はアップリンク時間領域送信ユニットであってもよい。
【００５０】
ここで、Ｎ個の時間領域送信ユニットは、接続状態のＮ個の連続する時間領域送信ユニットであってもよく、ＤＲＸサイクルにおけるＮ個の連続する時間領域送信ユニットであってもよい。なお、ＤＲＸシナリオにおいて、ＤＲＸサイクルのアクティブ期間におけるＮ個の連続する時間領域送信ユニットであってもよく、ＤＲＸサイクルのアクティブ期間とＤＲＸのスリープ期間（Ｏｐｐｏｒｔｕｎｉｔｙ  ｆｏｒ  ＤＲＸ）におけるＮ個の連続する時間領域送信ユニットであってもよい。
【００５１】
２）不連続受信ＤＲＸシナリオにおいて、ＤＲＸサイクルの非アクティブタイマー（Ｉｎａｃｔｉｖｉｔｙｔｉｍｅｒ）がタイムアウトする。ＤＲＸサイクルの非アクティブタイマーは、ＲＲＣシグナリングにおけるＤＲＸ非アクティブタイマー（ｄｒｘ−ＩｎａｃｔｉｖｉｔｙＴｉｍｅｒ）パラメータによって指示され、該パラメータは、端末が１つのＰＤＣＣＨの復号に成功した後に、いくつかのＰＤＣＣＨサブフレーム又はスロットを継続的に監視する必要があることを表示する。
【００５２】
３）ＤＲＸ共通（Ｃｏｍｍａｎｄ）媒体アクセス制御（Ｍｅｄｉｕｍ  Ａｃｃｅｓｓ  Ｃｏｎｔｒｏｌ、ＭＡＣ）層の制御要素（Ｃｏｎｔｒｏｌ  Ｅｌｅｍｅｎｔ、ＣＥ）を受信すると、ＭＡＣ層ＣＥの指示に基づいて、ＤＲＸサイクルのスリープ期間に入る。
【００５３】
例えば、端末は、異なるＰＤＣＣＨ監視用の少なくとも２セットの設定情報を受信し、第１のセット（第１の設定情報）は、ＤＲＸサイクルのアクティブ期間において第１のＰＤＣＣＨ又は第２のＰＤＣＣＨを受信する前に用いられ、第１のＰＤＣＣＨ又は第２のＰＤＣＣＨを受信した後にターゲット設定情報を第１のセットから第２のセット（第２の設定情報）に切り替え、第１のＰＤＣＣＨ又は第２のＰＤＣＣＨを受信した後の次のスロットから、端末が第２の設定情報に従ってＰＤＣＣＨを検出する。端末が非アクティブタイマーのタイムアウトを検出したか、又はＭＡＣ層のＣＥによりＤＲＸサイクルのスリープ期間に入ったことが指示されると、ターゲット設定情報を第２のセットから第１のセットに切り替える。
【００５４】
なお、本開示の実施例に係るＤＲＸサイクルは、ＤＲＸ短期サイクル又はＤＲＸ長期サイクルを含む。ＤＲＸ短期サイクルは、ＲＲＣシグナリングにおけるｄｒｘ−ＳｈｏｒｔＣｙｃｌｅパラメータにより指示されるものであり、このパラメータは、ＤＲＸに用いられる短期サイクルの時間長さを表示する。ＤＲＸ長期サイクルは、ＲＲＣシグナリングにおけるｄｒｘ−ＬｏｎｇＣｙｃｌｅＳｔａｒｔＯｆｆｓｅｔパラメータにより指示されるものであり、このパラメータは、ｌｏｎｇＤＲＸのサイクル及び開始ｏｆｆｓｅｔという２つの意味を表示する。また、ＲＲＣシグナリングは、短期サイクルタイマー（ｄｒｘ−ＳｈｏｒｔＣｙｃｌｅＴｉｍｅｒ）パラメータをさらに含んでよい。該パラメータは、短期サイクルにおいて連続するいくつかのサブフレームにおいてＰＤＣＣＨを受信しない場合、長期サイクルに入ることを表示する。
【００５５】
さらに、第１の設定情報は、デフォルト設定情報である。ＤＲＸ短期サイクルとＤＲＸ長期サイクルが異なる第１の設定情報に対応することは、ＤＲＸ短期サイクルとＤＲＸ長期サイクルがそれぞれ異なるデフォルト設定情報に対応することを意味する。ＤＲＸ短期サイクルとＤＲＸ長期サイクルが同一の第１の設定情報に対応することは、ＤＲＸ短期サイクルとＤＲＸ長期サイクルが同一のデフォルト設定情報に対応することを意味する。
【００５６】
本開示の実施例における上記設定情報は、
少なくとも１つの制御リソースセット（Ｃｏｎｔｒｏｌ  Ｒｅｓｏｕｒｃｅ  ｓｅｔ、ＣＯＲＥＳＥＴ）と、
少なくとも１つのサーチスペース（Ｓｅａｒｃｈ  Ｓｐａｃｅ、ＳＳ）と、
少なくとも１つのＰＤＣＣＨ候補（ｃａｎｄｉｄａｔｅ）と、
少なくとも１つのアグリゲーションレベル（Ａｇｇｒｅｇａｔｉｏｎ  Ｌｅｖｅｌ、ＡＬ）と、
ＰＤＣＣＨ候補の数と、
各スロットにおいて監視されるＰＤＣＣＨ候補の最大数と、
監視サイクル（ｍｏｎｉｔｏｒｉｎｇ  Ｓｌｏｔ  Ｐｅｒｉｏｄｉｃｉｔｙ）、オフセット量（ｏｆｆｓｅｔ）、持続時間（ｄｕｒａｔｉｏｎ）及び１つのタイムスロットの先頭監視シンボルのうちの少なくとも１つを含む監視パラメータと、のうちの少なくとも１つを指示する情報を含むが、これらに限定されない。
上位層シグナリングにより伝送されるパラメータｍｏｎｉｔｏｒｉｎｇＳｙｍｂｏｌｓＷｉｔｈｉｎＳｌｏｔは、１つのスロットの先頭監視シンボルの位置を表示する。
【００５７】
上記ＣＯＲＥＳＥＴについては、１つのＣＯＲＥＳＥＴには複数のサーチスペースが含まれており、サーチスペースには、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を伝送するための複数の候補位置がある。１つのＣＯＲＥＳＥＴに含まれるＣＣＥ数は、アグリゲーションレベルと呼ばれる。
【００５８】
上記サーチスペースについては、システムは、以下の様々なタイプのＰＤＣＣＨサーチスペースをサポートするが、これらに限定されない。
【００５９】
１、Ｔｙｐｅ０−ＰＤＣＣＨ共通サーチスペースは、残存最小システム情報（Ｒｅｍａｉｎｉｎｇ  Ｍｉｎｉｍｕｍ  Ｓｙｓｔｅｍ  Ｉｎｆｏｒｍａｔｉｏｎ、ＲＭＳＩ）に対応するＰＤＣＣＨに対して定義されるものである。該タイプのサーチスペースにおいて検出されたＰＤＣＣＨに載せられたダウンリンク制御情報ＤＣＩフォーマットには、プライマリセル（Ｐｒｉｍａｒｙ  Ｃｅｌｌ、Ｐｃｅｌｌ）に対応するＳＩ−ＲＮＴＩによってスクランブル（ｓｃｒａｍｂｌｅｄ）された巡回冗長検査（Ｃｙｃｌｉｃ  Ｒｅｄｕｎｄａｎｃｙ  Ｃｈｅｃｋ、ＣＲＣ）が搬送されている。
【００６０】
２、Ｔｙｐｅ０Ａ−ＰＤＣＣＨ共通サーチスペースは、他のシステム情報（Ｏｔｈｅｒ  Ｓｙｓｔｅｍ  Ｉｎｆｏｒｍａｔｉｏｎ、ＯＳＩ）に対応するＰＤＣＣＨに対して定義されるものである。該タイプのサーチスペースにおいて検出されたＰＤＣＣＨに載せられたＤＣＩ  ｆｏｒｍａｔには、プライマリセルＰｃｅｌｌに対応するＳＩ−ＲＮＴＩによってスクランブルされたＣＲＣが搬送されている。
【００６１】
３、Ｔｙｐｅ１−ＰＤＣＣＨ共通サーチスペースは、一般的なＰＤＣＣＨ（又はノーマルＰＤＣＣＨと呼ばれる）に対して定義されるものである。該タイプのサーチスペースにおいて検出されたＰＤＣＣＨに載せられたＤＣＩ  ｆｏｒｍａｔには、プライマリセルＰｃｅｌｌに対応するＲＡ−ＲＮＴＩ、ＴＣ−ＲＮＴＩ又はＣ−ＲＮＴＩによってスクランブルされたＣＲＣが搬送されている。
【００６２】
４、Ｔｙｐｅ２−ＰＤＣＣＨ共通サーチスペースである。該タイプのサーチスペースにおいて検出されたＰＤＣＣＨに載せられたＤＣＩ  ｆｏｒｍａｔには、プライマリセルＰｃｅｌｌに対応するページング無線ネットワーク一時識別子Ｐ−ＲＮＴＩによってスクランブルされたＣＲＣが搬送されている。
【００６３】
５、Ｔｙｐｅ３−ＰＤＣＣＨ共通サーチスペースである。該タイプのサーチスペースにおいて検出されたＰＤＣＣＨに載せられたＤＣＩ  ｆｏｒｍａｔには、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、Ｃ−ＲＮＴＩ、ＣＳ−ＲＮＴＩ又はＳＰ−ＲＮＴＩによってスクランブルされたＣＲＣが搬送されている。
【００６４】
６、端末専用サーチスペース（ＵＥ−ｓｐｅｃｉｆｉｃ  ｓｅａｒｃｈ  ｓｐａｃｅ）である。該サーチスペースにおいて検出されたＰＤＣＣＨに載せられたＤＣＩフォーマット（ｆｏｒｍａｔ）には、Ｃ−ＲＮＴＩ、ＣＳ−ＲＮＴＩ又はＳＰ−ＲＮＴＩによってスクランブルされたＣＲＣが搬送されている。
【００６５】
上記ＰＤＣＣＨ候補については、第１の設定情報と第２の設定情報は、異なるＰＤＣＣＨ候補を含むか、又は異なるＰＤＣＣＨ候補の数をサポートできるか、又は異なる各スロットにおいて監視されるＰＤＣＣＨ候補の最大数をサポートできる。ＰＤＣＣＨ候補は、制御チャネル要素（Ｃｏｎｔｒｏｌ  Ｃｈａｎｎｅｌ  Ｅｌｅｍｅｎｔ、ＣＣＥ）で構成され、各ＰＤＣＣＨ候補に完全なＤＣＩ情報を載せることができ、端末は、複数のＰＤＣＣＨ候補をブラインド検出してＤＣＩを受信することができる。上記アグリゲーションレベルについては、システムは、１、２、４、８及び１６個の制御チャネル要素ＣＣＥのアグリゲーションレベルをサポートすることができる。共通サーチスペースは、３種のＣＣＥアグリゲーションレベルをサポートし、該３種のＣＣＥアグリゲーションレベルとＰＤＣＣＨ候補との対応関係を次の表２に示す。
【００６６】
【表２】
2021530944.tif 000004
【００６７】
専用サーチスペースは、全ての５種のＣＣＥアグリゲーションレベルをサポートする。
【００６８】
さらに、本開示の実施例における第１の設定情報と第２の設定情報との関係は、以下の少なくとも１つを含む。
【００６９】
設定情報が少なくとも１つの制御リソースセットを含む場合、第１の設定情報により指示される制御リソースセットの数が、第２の設定情報により指示される制御リソースセットの数より大きい。例えば、ネットワーク装置は、ＲＲＣシグナリングによりＰＤＣＣＨ監視用の２セットの設定情報を設定し、この２セットの設定情報により指示される制御リソースセットは、それぞれ、ＣＯＲＥＳＥＴ  ０と１の合計２つのＣＯＲＥＳＥＴ（第１の設定情報）と、ＣＯＲＥＳＥＴ  ０、１、２及び３の合計４つのＣＯＲＥＳＥＴ（第２の設定情報）である。端末が接続状態（ｃｏｎｎｅｃｔｅｄ  ｍｏｄｅ）にある場合、デフォルトでＣＯＲＥＳＥＴ  ０と１でＰＤＣＣＨをブラインド検出し、第１のＰＤＣＣＨ又は第２のＰＤＣＣＨを受信すると、ＣＯＲＥＳＥＴ  ０、１、２及び３でＰＤＣＣＨをブラインド検出するように切り替えると仮定する。その後、連続するＮ個のスロット（ｓｌｏｔ）においてターゲットＰＤＣＣＨを受信していなければ、ＣＯＲＥＳＥＴ  ０と１でＰＤＣＣＨをブラインド検出するように切り替える。上記切り替えについては、ＤＣＩにより該切り替えをトリガすることができる。
【００７０】
設定情報が少なくとも１つのサーチスペースを含む場合、第１の設定情報により指示されるサーチスペースの数が、第２の設定情報により指示されるサーチスペースの数より大きい。例えば、ネットワーク装置は、ＲＲＣシグナリングによりＰＤＣＣＨ監視用の２セットの設定情報を設定し、この２セットの設定情報が指示するサーチスペースは、それぞれ、ＳＳ  ０と１の合計２つ（第１の設定情報）と、ＳＳ  ０、１、２及び３の合計４つ（第２の設定情報）である。端末が接続状態にある場合、デフォルトでＳＳ  ０と１でＰＤＣＣＨをブラインド検出し、第１のＰＤＣＣＨ又は第２のＰＤＣＣＨを受信すると、ＳＳ  ０、１、２及び３でＰＤＣＣＨをブラインド検出するように切り替えると仮定する。その後、連続するＮ個のスロット（ｓｌｏｔ）においてターゲットＰＤＣＣＨを受信していなければ、ＳＳ  ０と１でＰＤＣＣＨをブラインド検出するように切り替える。上記切り替えについては、ＤＣＩにより該切り替えをトリガすることができる。
【００７１】
設定情報が少なくとも１つのＰＤＣＣＨ候補又はＰＤＣＣＨ候補の数を含む場合、第１の設定情報により指示されるＰＤＣＣＨ候補の数が、第２の設定情報により指示されるＰＤＣＣＨ候補の数より大きい。例えば、ネットワーク装置は、ＲＲＣシグナリングによりＰＤＣＣＨ監視用の２セットの設定情報を設定し、この２セットの設定情報が指示するＰＤＣＣＨ候補及びＰＤＣＣＨ候補の数は、それぞれ、ＰＤＣＣＨ候補（ｃａｎｄｉｄａｔｅ）  ０と１の合計２つ（第１の設定情報）と、ＰＤＣＣＨ候補（ｃａｎｄｉｄａｔｅ）０〜７の合計８つ（第２の設定情報）である。端末が接続状態にある場合、デフォルトでＰＤＣＣＨ候補（ｃａｎｄｉｄａｔｅ）  ０と１でＰＤＣＣＨをブラインド検出し、第１のＰＤＣＣＨ又は第２のＰＤＣＣＨを受信すると、ＰＤＣＣＨ候補（ｃａｎｄｉｄａｔｅ）  ０〜７でＰＤＣＣＨをブラインド検出するように切り替えると仮定する。その後、連続するＮ個のスロット（ｓｌｏｔ）においてターゲットＰＤＣＣＨを受信していなければ、ＰＤＣＣＨ候補（ｃａｎｄｉｄａｔｅ）  ０と１でＰＤＣＣＨをブラインド検出するように切り替える。上記切り替えについては、ＤＣＩにより該切り替えをトリガすることができる。
【００７２】
設定情報が少なくとも１つのアグリゲーションレベルを含む場合、第１の設定情報により指示されるアグリゲーションレベルの数が、第２の設定情報により指示されるアグリゲーションレベルの数より大きい。例えば、ネットワーク装置は、ＲＲＣシグナリングによりＰＤＣＣＨ監視用の２セットの設定情報を設定し、この２セットの設定情報が指示するアグリゲーションレベルは、それぞれ、ＡＬ  ４、８及び１６の合計３つ（第１の設定情報）と、ＡＬ  １、２、４、８及び１６の合計５つ（第２の設定情報）である。端末が接続状態にある場合、デフォルトでＡＬ  ４、８及び１６でＰＤＣＣＨをブラインド検出し、第１のＰＤＣＣＨ又は第２のＰＤＣＣＨを受信すると、ＡＬ  １、２、４、８及び１６上でＰＤＣＣＨをブラインド検出するように切り替えると仮定する。その後、連続するＮ個のスロット（ｓｌｏｔ）においてターゲットＰＤＣＣＨを受信していなければ、ＡＬ  ４、８及び１６でＰＤＣＣＨをブラインド検出するように切り替える。上記切り替えについては、ＤＣＩにより該切り替えをトリガすることができる。
【００７３】
設定情報が各スロットにおいて監視されるＰＤＣＣＨ候補の最大数を含む場合、第１の設定情報により指示される最大数が、第２の設定情報により指示される最大数より大きい。例えば、ネットワーク装置は、ＲＲＣシグナリングによりＰＤＣＣＨ監視用の２セットの設定情報を設定し、この２セットの設定情報が指示する、各スロットにおいて監視されるＰＤＣＣＨ候補の最大数は、それぞれ、２０個（第１の設定情報）と、４４個（第２の設定情報）である。端末が接続状態にある場合、最大２０個のＰＤＣＣＨ候補（ｃａｎｄｉｄａｔｅ）でＰＤＣＣＨをデフォルトでブラインド検出し、第１のＰＤＣＣＨ又は第２のＰＤＣＣＨを受信すると、最大４４個のＰＤＣＣＨ候補（ｃａｎｄｉｄａｔｅ）でＰＤＣＣＨをブラインド検出するように切り替えると仮定する。その後、連続するＮ個のスロット（ｓｌｏｔ）においてターゲットＰＤＣＣＨを受信していなければ、最大２０個のＰＤＣＣＨ候補（ｃａｎｄｉｄａｔｅ）でＰＤＣＣＨをブラインド検出するように切り替える。上記切り替えについては、ＤＣＩにより該切り替えをトリガすることができる。
【００７４】
設定情報が監視パラメータを含む場合、第１の設定情報により指示される監視サイクルが、第２の設定情報により指示される監視サイクルより小さい。例えば、ネットワーク装置は、ＲＲＣシグナリングによりＰＤＣＣＨ監視用の２セットの設定情報を設定し、この２セットの設定情報が指示する監視サイクルは、それぞれ、２０個のスロット（ｓｌｏｔ）毎に監視する（第１の設定情報）と、５つのスロット（ｓｌｏｔ）毎に監視する（第２の設定情報）である。端末がｃｏｎｎｅｃｔｅｄにある場合、デフォルトで２０個のスロット（ｓｌｏｔ）毎に監視し、第１のＰＤＣＣＨ又は第２のＰＤＣＣＨを受信すると、５つのスロット（ｓｌｏｔ）毎に監視するように切り替えると仮定する。その後、連続するＮ個のスロット（ｓｌｏｔ）においてターゲットＰＤＣＣＨを受信していなければ、２０個のスロット（ｓｌｏｔ）毎に監視するように切り替える。上記切り替えについては、ＤＣＩにより該切り替えをトリガすることができる。
【００７５】
設定情報が少なくとも２種のパラメータを含むと、上記ターゲット設定情報に対する確認及び切り替えは、依然として適用されている。例えば、ネットワーク装置は、ＲＲＣシグナリングによりＰＤＣＣＨ監視用の２セットの設定情報を設定し、この２セットの設定情報が指示する監視サイクルは、それぞれ、２０個のスロット（ｓｌｏｔ）毎にＣＯＲＥＳＥＴ  ０と１の合計２つのＣＯＲＥＳＥＴを監視する（第１の設定情報）と、５つのスロット（ｓｌｏｔ）毎にＣＯＲＥＳＥＴ  ０、１、２及び３の合計４つのＣＯＲＥＳＥＴを監視する（第２の設定情報）である。端末がｃｏｎｎｅｃｔｅｄにある場合、デフォルトで２０個のスロット（ｓｌｏｔ）毎に２つのＣＯＲＥＳＥＴを監視し、第１のＰＤＣＣＨ又は第２のＰＤＣＣＨを受信すると、５つのスロット（ｓｌｏｔ）毎に４つのＣＯＲＥＳＥＴを監視するように切り替えると仮定する。その後、連続するＮ個のスロット（ｓｌｏｔ）においてターゲットＰＤＣＣＨを受信していなければ、２０個のスロット（ｓｌｏｔ）毎に２つのＣＯＲＥＳＥＴを監視するように切り替える。上記切り替えについては、ＤＣＩにより該切り替えをトリガすることができる。以上の例は、例示的な説明に過ぎず、設定情報が指示する監視サイクル、制御リソースセット及びサーチスペースのような他のパラメータの組み合わせは、該実施例に適用されてもよく、なお、本開示の実施例は、設定情報が指示するパラメータのタイプ及び数を限定せず、当業者であれば、以上のパラメータの様々な組み合わせの例示を把握すべきであり、本開示の実施例は、一々列挙して説明しない。
【００７６】
ステップ３１の前に、異なるシナリオにおけるＰＤＣＣＨ監視要件の設定情報候補を指示する報告情報をネットワーク装置に送信することをさらに含み、例えば、報告情報は、ＤＲＸサイクルのアクティブ期間に対応する第１の設定情報候補と、ＤＲＸサイクル内の非アクティブタイマーの計時期間に対応する第２の設定情報候補と、接続状態でのＤＲＸオフ期間に対応する第３の設定情報候補とのうちの少なくとも１つを指示する。ＤＲＸサイクルは、ＤＲＸ短期サイクル又はＤＲＸ長期サイクルを含む。すなわち、端末は、異なるシナリオにおける自体の監視要件に応じて、ネットワーク装置に報告情報を送信することにより、ネットワーク装置は、該報告情報を参照して少なくとも２セットの設定情報を生成して、異なるシナリオにおける端末の後続のＰＤＣＣＨ監視動作を指示することができる。
【００７７】
本開示の実施例に係るチャネル検出指示方法において、端末は、少なくとも２セットの設定情報から実際の要件を満たすターゲット設定情報を決定し、ターゲット設定情報に基づいてＰＤＣＣＨの検出を行うことにより、異なるシナリオにおけるＰＤＣＣＨの監視を満たし、余分な電力消費を発生させずに伝送効率を向上させることができる。
【００７８】
以上の実施例は、異なるシナリオにおけるチャネル検出指示方法を説明したが、以下、図面を参照しながら対応する端末をさらに説明する。
【００７９】
図４に示すように、本開示の実施例に係る端末４００は、上記実施例における、物理ダウンリンク制御チャネルＰＤＣＣＨの監視に関連する少なくとも２セットの設定情報を取得し、少なくとも２セットの設定情報からターゲット設定情報を決定し、ターゲット設定情報に基づいて、ＰＤＣＣＨを検出するという方法の詳細を実現し、かつ同様の効果を達成することができ、該端末４００は、具体的には、
物理ダウンリンク制御チャネルＰＤＣＣＨの監視に関連する少なくとも２セットの設定情報を取得する取得モジュール４１０と、
少なくとも２セットの設定情報からターゲット設定情報を決定する処理モジュール４２０と、
ターゲット設定情報に基づいて、ＰＤＣＣＨを検出する検出モジュール４３０とを含む。
【００８０】
ＰＤＣＣＨは、少なくとも一種のＤＣＩフォーマットに対応し、及び／又は、少なくとも一種の無線ネットワーク一時識別子ＲＮＴＩに対応する。
【００８１】
処理モジュール４２０は、
ダウンリンク制御情報ＤＣＩに基づいて、少なくとも２セットの設定情報からＤＣＩにより指示される１セットを選択してターゲット設定情報として決定する第１の処理サブモジュール、
又は、
第１のトリガ条件を満たす場合、ターゲット設定情報を第１の設定情報から第２の設定情報に切り替える第２の処理サブモジュール、
又は、
第２のトリガ条件を満たす場合、ターゲット設定情報を第２の設定情報から第１の設定情報に切り替える第３の処理サブモジュールを含み、少なくとも２セットの設定情報のうちの１セットである第２の設定情報は、少なくとも２セットの設定情報のうちの１セットである第１の設定情報とは異なる。
【００８２】
第１のトリガ条件は、
所定のＤＣＩフォーマットのうちの一種であるターゲットＤＣＩフォーマットが搬送されている第１のＰＤＣＣＨを受信したこと、又は、
セル無線ネットワーク一時識別子Ｃ−ＲＮＴＩ及び設定されたスケジューリング無線ネットワーク一時識別子ＣＳ−ＲＮＴＩのうちの少なくとも一種を含むターゲットＲＮＴＩによってスクランブルされた第２のＰＤＣＣＨを受信したことを含む。
【００８３】
第２の処理サブモジュールは、
不連続受信ＤＲＸシナリオにおいて、ＤＲＸサイクルのアクティブ期間に第１のＰＤＣＣＨ又は第２のＰＤＣＣＨを受信すると、ターゲット設定情報を第１の設定情報から第２の設定情報に切り替える第１の処理ユニットを含む。
【００８４】
第２のトリガ条件は、
スロットｓｌｏｔ、ミニスロットｍｉｎｉ−ｓｌｏｔ、ミリ秒又は時間領域シンボルを含むＮ（Ｎが正の整数である）個の時間領域送信ユニットにおいて、ターゲットＤＣＩフォーマットが搬送されているか、又はＣ−ＲＮＴＩ及びＣＳ−ＲＮＴＩのうちの少なくとも一種を含むターゲットＲＮＴＩによってスクランブルされているターゲットＰＤＣＣＨを受信しないことと、
不連続受信ＤＲＸシナリオにおいて、ＤＲＸサイクルの非アクティブタイマーがタイムアウトすることと、
ＤＲＸ共通媒体アクセス制御ＭＡＣ層の制御要素ＣＥを受信した後に、ＭＡＣ層ＣＥの指示に基づいて、ＤＲＸサイクルのスリープ期間に入ることと、のうちの１つを含む。
【００８５】
ＤＲＸサイクルは、ＤＲＸ短期サイクル又はＤＲＸ長期サイクルを含む。
【００８６】
ＤＲＸ短期サイクル及びＤＲＸ長期サイクルは、異なる第１の設定情報に対応するか、又は同一の第１の設定情報に対応する。
【００８７】
Ｎは、予め定義されたものであるか、又はネットワーク装置によって設定されるものである。
【００８８】
設定情報は、
少なくとも１つの制御リソースセットと、
少なくとも１つのサーチスペースと、
少なくとも１つのＰＤＣＣＨ候補と、
少なくとも１つのアグリゲーションレベルと、
ＰＤＣＣＨ候補の数と、
各スロットにおいて監視されるＰＤＣＣＨ候補の最大数と、
監視サイクル、オフセット量、持続時間及び１つのスロットの先頭監視シンボルのうちの少なくとも１つを含む監視パラメータと、のうちの少なくとも１つを指示する情報を含む。
【００８９】
第１の設定情報と第２の設定情報との関係は、
設定情報が少なくとも１つの制御リソースセットを含む場合、第１の設定情報により指示される制御リソースセットの数が、第２の設定情報により指示される制御リソースセットの数より大きいことと、
設定情報が少なくとも１つのサーチスペースを含む場合、第１の設定情報により指示されるサーチスペースの数が、第２の設定情報により指示されるサーチスペースの数より大きいことと、
設定情報が少なくとも１つのＰＤＣＣＨ候補又はＰＤＣＣＨ候補の数を含む場合、第１の設定情報により指示されるＰＤＣＣＨ候補の数が、第２の設定情報により指示されるＰＤＣＣＨ候補の数より大きいことと、
設定情報が少なくとも１つのアグリゲーションレベルを含む場合、第１の設定情報により指示されるアグリゲーションレベル数が、第２の設定情報により指示されるアグリゲーションレベル数より大きいことと、
設定情報が各スロットにおいて監視されるＰＤＣＣＨ候補の最大数を含む場合、第１の設定情報により指示される最大数が、第２の設定情報により指示される最大数より大きいことと、
設定情報が監視パラメータを含む場合、第１の設定情報により指示される第１の監視サイクルが、第２の設定情報により指示される第２の監視サイクルより小さいことと、のうちの少なくとも１つを含む。
【００９０】
処理モジュール４２０は、
ＤＣＩを検出する検出サブモジュールと、
ＤＣＩの検出結果に基づいて、応答情報又は非応答情報ＡＣＫ／ＮＡＣＫをネットワーク装置にフィードバックするフィードバックサブモジュールとをさらに含む。
【００９１】
ＤＣＩは、スケジューリングＤＣＩ又は非スケジューリングＤＣＩである。
【００９２】
ネットワーク装置４００は、
ネットワーク装置に報告情報を送信する報告モジュールをさらに含み、報告情報は、
ＤＲＸ短期サイクル又はＤＲＸ長期サイクルを含むＤＲＸサイクルのアクティブ期間に対応する第１の設定情報候補と、
ＤＲＸサイクル内の非アクティブタイマーの計時期間に対応する第２の設定情報候補と、
接続状態でのＤＲＸオフ期間に対応する第３の設定情報候補とのうちの少なくとも１つを指示する。
【００９３】
少なくとも２セットの設定情報は、予め定義されるものであるか、又は、ネットワーク装置が無線リソース制御ＲＲＣシグナリングにより設定されるものである。
【００９４】
本開示の実施例に係る端末は、ネットワーク装置によって設定された、ＰＤＣＣＨの監視に関する少なくとも２セットの設定情報から実際の要件を満たすターゲット設定情報を決定し、ターゲット設定情報に基づいてＰＤＣＣＨを検出することにより、異なるシナリオにおけるＰＤＣＣＨの監視を満たし、余分な電力消費を発生させずに伝送効率を向上させることができる。
【００９５】
上記目的をよりよく達成するために、さらに、図５は、本開示の各実施例を実現する端末のハードウェア構造の概略図であり、該端末５０は、無線周波数ユニット５１、ネットワークモジュール５２、オーディオ出力ユニット５３、入力ユニット５４、センサ５５、表示ユニット５６、ユーザ入力ユニット５７、インタフェースユニット５８、メモリ５９、プロセッサ５１０及び電源５１１などの部品を含むが、これらに限定されない。当業者には理解されるように、図５に示す端末構造は、端末を限定するものではなく、端末は、図示より多い又は少ない部品を含んでもよく、ある部品を組み合わせたり、異なる部品配置を有したりしてもよい。本開示の実施例において、端末は、携帯電話、タブレットコンピュータ、ノートパソコン、パームトップコンピュータ、車載端末、ウェアラブルデバイス及び歩数計などを含むが、これらに限定されない。
【００９６】
無線周波数ユニット５１は、物理ダウンリンク制御チャネルＰＤＣＣＨの監視に関連する少なくとも２セットの設定情報を取得する。
プロセッサ５１０は、少なくとも２セットの設定情報からターゲット設定情報を決定し、ターゲット設定情報に基づいて、ＰＤＣＣＨを検出する。
【００９７】
本開示の実施例に係る端末は、ネットワーク装置によって設定された、ＰＤＣＣＨの監視に関する少なくとも２セットの設定情報から実際の要件を満たすターゲット設定情報を決定し、ターゲット設定情報に基づいてＰＤＣＣＨを検出することにより、異なるシナリオにおけるＰＤＣＣＨの監視を満たし、余分な電力消費を発生させずに伝送効率を向上させることができる。
【００９８】
本開示の実施例において、無線周波数ユニット５１は、情報の送受信、又は通話中の信号の送受信に用いられてよく、具体的には、基地局からのダウンリンクデータを受信した後、プロセッサ５１０に処理させ、また、アップリンクデータを基地局に送信する。一般的には、無線周波数ユニット５１は、アンテナ、少なくとも１つの増幅器、送受信機、カプラ、低雑音増幅器、デュプレクサなどを含むが、これらに限定されない。また、無線周波数ユニット５１は、さらに、無線通信システムによりネットワーク及び他の装置と通信することができる。
【００９９】
端末は、ネットワークモジュール５２によりユーザに無線のブロードバンドインターネットアクセスを提供して、例えば、ユーザの電子メールの送受信、ウェブの閲覧及びストリーミングメディアのアクセスなどを支援する。
【０１００】
オーディオ出力ユニット５３は、無線周波数ユニット５１又はネットワークモジュール５２によって受信されるか、又はメモリ５９に記憶されるオーディオデータをオーディオ信号に変換して音声として出力することができる。そして、オーディオ出力ユニット５３は、さらに端末５０によって実行される特定の機能に関連するオーディオ出力（例えば、呼出音、メッセージ着信音など）を提供することができる。オーディオ出力ユニット５３は、スピーカー、ブザー及びレシーバーなどを含む。
【０１０１】
入力ユニット５４は、オーディオ又はビデオ信号を入力する。入力ユニット５４は、グラフィック処理ユニット（Ｇｒａｐｈｉｃｓ  Ｐｒｏｃｅｓｓｉｎｇ  Ｕｎｉｔ、ＧＰＵ）５４１及びマイクロフォン５４２を含んでよく、グラフィック処理ユニット５４１は、動画撮影モード又は撮影モードで撮影装置（例えば、カメラ）によって取得された静止画像又はビデオの画像データを処理する。処理後の画像フレームは、表示ユニット５６に表示されてよい。グラフィック処理ユニット５４１によって処理された画像フレームは、メモリ５９（又は他の記憶媒体）に記憶し、或いは無線周波数ユニット５１又はネットワークモジュール５２を介して送信することができる。マイクロフォン５４２は、音声を受信し、かつこのような音声をオーディオデータに処理することができる。処理後のオーディオデータは、電話通話モードで無線周波数ユニット５１によって移動通信基地局に送信可能なフォーマットに変換して出力することができる。
【０１０２】
端末５０は、光センサ、動きセンサ及び他のセンサなどの少なくとも１種のセンサ５５をさらに含んでよい。具体的には、光センサは、環境光線の明るさに応じて表示パネル５６１の輝度を調節することができる環境光センサと、端末５０が耳元に移動するときに、表示パネル５６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢（例えば、横向き／縦向きの切替、ゲーム関連、磁力計の姿勢較正）の識別、振動識別に関連する機能（例えば、歩数計、タッピング）などに用いられてよく、センサ５５は、指紋センサ、圧力センサ、虹彩センサ、分子センサ、ジャイロスコープ、気圧計、湿度計、温度計、赤外線センサなどをさらに含んでよく、ここでは説明を省略する。
【０１０３】
表示ユニット５６は、ユーザによって入力された情報又はユーザに提供する情報を表示する。表示ユニット５６は、表示パネル５６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル５６１を構成することができる。
【０１０４】
ユーザ入力ユニット５７は、入力された数字又は文字情報を受信し、端末のユーザ設定及び機能制御に関連するキー信号入力を生成することができる。具体的には、ユーザ入力ユニット５７は、タッチパネル５７１及び他の入力装置５７２を含む。タッチパネル５７１は、タッチスクリーンとも呼ばれ、タッチパネル又はその近くでのユーザのタッチ操作（例えば、指、スタイラスペンなどの任意の適切な物体又は付属品を用いたタッチパネル５７１で又はタッチパネル５７１の近くでのユーザの操作）を収集することができる。タッチパネル５７１は、タッチ検出装置及びタッチコントローラの２つの部分を含んでよい。タッチ検出装置は、ユーザのタッチ方向を検出し、タッチ操作による信号を検出し、その信号をタッチコントローラに伝送し、タッチコントローラは、タッチ検出装置からタッチ情報を受信し、タッチポイント座標に変換して、プロセッサ５１０に送信し、プロセッサ５１０から送信されたコマンドを受信し、実行する。また、抵抗式、容量式、赤外線式及び表面弾性波式などの様々なタイプでタッチパネル５７１を実現することができる。タッチパネル５７１に加えて、ユーザ入力ユニット５７は、他の入力装置５７２をさらに含んでよい。具体的には、他の入力装置５７２は、物理キーボード、機能キー（例えば、ボリューム調節キー、スイッチキーなど）、トラックボール、マウス及び操作レバーを含んでよいが、これらに限定されず、ここでは説明を省略する。
【０１０５】
さらに、タッチパネル５７１は、表示パネル５６１をカバーすることができ、タッチパネル５７１がタッチパネル又はその近くでのタッチ操作を検出した後、プロセッサ５１０に伝送してタッチイベントのタイプを決定し、その後に、プロセッサ５１０は、タッチイベントのタイプに応じて対応する視覚的出力を表示パネル５６１に提供する。図５において、タッチパネル５７１と表示パネル５６１は、２つの独立した部品として端末の入出力機能を実現するが、いくつかの実施例において、タッチパネル５７１と表示パネル５６１を一体化して端末の入出力機能を実現してもよく、ここでは具体的に限定しない。
【０１０６】
インタフェースユニット５８は、外部装置と端末５０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット５８は、外部装置からの入力（例えば、データ情報、電力など）を受信すると共に、受信した入力を端末５０内の１つ以上の素子に伝送するか又は端末５０と外部装置との間のデータ伝送に用いることができる。
【０１０７】
メモリ５９は、ソフトウェアプログラム及び様々なデータを記憶することができる。メモリ５９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ５９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１０８】
プロセッサ５１０は、端末の制御センターであり、様々なインタフェースと回線により端末全体の各部分に接続され、メモリ５９に記憶されているソフトウェアプログラム及び／又はモジュールを動作させるか又は実行し、メモリ５９に記憶されているデータを呼び出すことにより、端末の様々な機能とデータ処理を実行して、端末全体を制御する。プロセッサ５１０は、１つ以上の処理ユニットを含んでよく、好ましくは、プロセッサ５１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ５１０に集積されなくてもよい。
【０１０９】
端末５０は、各部品に給電する電源５１１（例えば、電池）を含んでよく、好ましくは、電源５１１は、電源管理システムによりプロセッサ５１０と論理的に接続されて、電源管理システムにより充電、放電の管理及び消費電力の管理等の機能を実現する。
【０１１０】
また、端末５０は、いくつかの未図示の機能モジュールを含み、ここでは説明を省略する。
【０１１１】
好ましくは、本開示の実施例は、プロセッサ５１０と、メモリ５９と、メモリ５９に記憶されて上記プロセッサ５１０上で実行可能で、プロセッサ５１０によって実行されると、上記チャネル検出指示方法の実施例の各プロセスを実現し、かつ同じ技術的効果を達成できるコンピュータプログラムとを含む、端末をさらに提供し、重複を避けるために、ここでは説明を省略する。端末は、無線端末であってもよく、有線端末であってもよく、無線端末は、ユーザに音声及び／又は他のサービスデータ接続性を提供する装置、無線接続機能を有するハンドヘルド装置、又は無線モデムに接続される他の処理装置であってよい。無線端末は、無線アクセスネットワーク（Ｒａｄｉｏ  Ａｃｃｅｓｓ  Ｎｅｔｗｏｒｋ）を介して１つ以上のコアネットワークと通信可能であり、無線端末は、携帯電話（又は「セルラー」と呼ばれる）及び携帯端末を有するコンピュータであってもよく、例えば、携帯式、ポケット式、ハンディ型、コンピュータ内蔵又は車載の移動装置であってよく、これらは無線アクセスネットワークと言語及び／又はデータを交換する。例えば、個人通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、加入者系無線アクセス網（Ｗｉｒｅｌｅｓｓ  Ｌｏｃａｌ  Ｌｏｏｐ、ＷＬＬ）基地局、パーソナルディジタルアシスタント（Ｐｅｒｓｏｎａｌ  Ｄｉｇｉｔａｌ  Ａｓｓｉｓｔａｎｔ、ＰＤＡ）などの装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ｄｅｖｉｃｅ  ｏｒ  Ｕｓｅｒ  Ｅｑｕｉｐｍｅｎｔ）と呼ばれてよく、ここで限定されない。
【０１１２】
本開示の実施例は、プロセッサによって実行されると、上記チャネル検出指示方法の実施例の各プロセスを実現し、かつ同様な技術的効果を達成することができるコンピュータプログラムが記憶されているコンピュータ可読記憶媒体をさらに提供し、重複を避けるため、ここでは説明を省略する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等であってよい。
【０１１３】
以上、実施例は、端末側について、本開示のチャネル検出指示方法を説明した。以下、本実施例は、図面を参照しながらネットワーク装置側のチャネル検出指示方法をさらに説明する。
【０１１４】
図６に示すように、本開示の実施例に係る、ネットワーク装置側に適用されるチャネル検出指示方法は、
無線リソース制御ＲＲＣシグナリングにより、物理ダウンリンク制御チャネルＰＤＣＣＨの監視に関連する少なくとも２セットの設定情報を端末に送信するステップ６１を含む。
【０１１５】
この少なくとも２セットの設定情報は、それぞれ異なるシナリオにおけるＰＤＣＣＨの監視に対応する。また、この少なくとも２セットの設定情報は、予め定義されるもの（例えば、プロトコルによる約定）である。本実施例は、ネットワーク装置による設定を例として説明する。
【０１１６】
本開示の実施例におけるＰＤＣＣＨは、少なくとも一種のＤＣＩフォーマットに対応し、及び／又は、少なくとも一種の無線ネットワーク一時識別子ＲＮＴＩに対応する。例えば、ＰＤＣＣＨは、スケジューリングＤＣＩフォーマットのうちの少なくとも一種に対応するか、又は非スケジューリングＤＣＩフォーマットのうちの少なくとも一種に対応するか、又はスケジューリングＤＣＩフォーマット及び非スケジューリングＤＣＩフォーマットのうちの少なくとも一種に対応する。さらに、ステップ６１の後に、少なくとも２セットの設定情報のうちのターゲット設定情報を指示するためのダウンリンク制御情報ＤＣＩを端末に送信することをさらに含む。ＤＣＩは、スケジューリングＤＣＩ又は非スケジューリングＤＣＩである。すなわち、ネットワーク装置は、無線リソース制御ＲＲＣにより、異なるシナリオにおけるＰＤＣＣＨの監視に関する少なくとも２セットの設定情報を設定し、ＤＣＩにより１セットの設定情報を選択してＰＤＣＣＨの監視に用いるように端末に動的に指示することにより、異なるシナリオにおけるＰＤＣＣＨの監視を満たし、余分な電力消費を発生させずに伝送効率を向上させることができる。
【０１１７】
ダウンリンク制御情報ＤＣＩを端末に送信するステップの後に、端末がＤＣＩを検出したか否かに応じてフィードバックする応答情報又は非応答情報ＡＣＫ／ＮＡＣＫを受信することをさらに含む。具体的には、端末がＤＣＩを検出すると、ネットワーク装置にＡＣＫをフィードバックするか、又は、端末がＤＣＩを検出しなければ、ネットワーク装置にＮＡＣＫをフィードバックする。
【０１１８】
本開示の実施例における上記設定情報は、
少なくとも１つの制御リソースセットと、
少なくとも１つのサーチスペースと、
少なくとも１つのＰＤＣＣＨ候補と、
少なくとも１つのアグリゲーションレベルと、
ＰＤＣＣＨ候補の数と、
各スロットにおいて監視されるＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む。
【０１１９】
設定情報における上記各パラメータに対する説明は、端末側の実施例を参照することができ、ここでは説明を省略する。
【０１２０】
さらに、該方法は、ステップ６１の前に、報告情報を受信することをさらに含み、報告情報は、異なるシナリオにおける端末のＰＤＣＣＨ監視要件の設定情報候補を指示する。例えば、報告情報は、
端末がＤＲＸ短期サイクル又はＤＲＸ長期サイクルを含むＤＲＸサイクルのアクティブ期間にあるときに対応する第１の設定情報候補と、
端末が上記ＤＲＸサイクル内の非アクティブタイマーの計時期間にあるときに対応する第２の設定情報候補と、
端末が接続状態でのＤＲＸオフ期間にあるときに対応する第３の設定情報候補とのうちの少なくとも１つを指示する。
【０１２１】
このように、ネットワーク装置は、該報告情報を参照して少なくとも２セットの設定情報を生成して、異なるシナリオにおける端末の後続のＰＤＣＣＨの監視動作を指示することができる。
【０１２２】
本開示の実施例に係るチャネル検出指示方法において、ネットワーク装置は、端末に対して少なくとも２セットのＰＤＣＣＨ監視に関する設定情報を設定し、端末は、この少なくとも２セットの設定情報から実際の要件を満たすターゲット設定情報を決定し、ターゲット設定情報に基づいてＰＤＣＣＨの検出を行うことにより、異なるシナリオにおけるＰＤＣＣＨの監視を満たし、端末の余分な電力消費を発生させずに伝送効率を向上させることができる。
【０１２３】
以上、実施例は、それぞれ異なるシナリオにおけるチャネル検出指示方法を詳細に説明し、以下、本実施例は、図面を参照しながら対応するネットワーク装置をさらに説明する。
【０１２４】
図７に示すように、本開示の実施例に係るネットワーク装置７００は、上記実施例における、無線リソース制御ＲＲＣシグナリングにより、物理ダウンリンク制御チャネルＰＤＣＣＨの監視に関する少なくとも２セットの設定情報を端末に送信するという方法の詳細を実現し、かつ同様の効果を達成することができ、該ネットワーク装置７００は、具体的には、
無線リソース制御ＲＲＣシグナリングにより、物理ダウンリンク制御チャネルＰＤＣＣＨの監視に関連する少なくとも２セットの設定情報を端末に送信する第１の送信モジュール７１０の機能モジュールを含む。
【０１２５】
ＰＤＣＣＨは、少なくとも一種のＤＣＩフォーマットに対応し、及び／又は、少なくとも一種の無線ネットワーク一時識別子ＲＮＴＩに対応する。
【０１２６】
設定情報は、
少なくとも１つの制御リソースセットと、
少なくとも１つのサーチスペースと、
少なくとも１つのＰＤＣＣＨ候補と、
少なくとも１つのアグリゲーションレベルと、
ＰＤＣＣＨ候補の数と、
各スロットにおいて監視されるＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを含む。
【０１２７】
ネットワーク装置７００は、
少なくとも２セットの設定情報のうちのターゲット設定情報を指示するためのダウンリンク制御情報ＤＣＩを端末に送信する第２の送信モジュールをさらに含む。
【０１２８】
ＤＣＩは、スケジューリングＤＣＩ又は非スケジューリングＤＣＩである。
【０１２９】
ネットワーク装置７００は、
端末がＤＣＩを検出したか否かに応じてフィードバックする応答情報又は非応答情報ＡＣＫ／ＮＡＣＫを受信する第１の受信モジュールをさらに含む。
【０１３０】
ネットワーク装置７００は、
報告情報を受信する第２の受信モジュールをさらに含み、報告情報は、
端末がＤＲＸ短期サイクル又はＤＲＸ長期サイクルを含むＤＲＸサイクルのアクティブ期間にあるときに対応する第１の設定情報候補と、
端末がＤＲＸサイクル内の非アクティブタイマーの計時期間にあるときに対応する第２の設定情報候補と、
端末が接続状態でのＤＲＸオフ期間にあるときに対応する第３の設定情報候補とのうちの少なくとも１つを指示する。
【０１３１】
本開示の実施例に係るネットワーク装置は、端末に対して少なくとも２セットのＰＤＣＣＨの監視に関する設定情報を設定し、端末は、この少なくとも２セットの設定情報から実際の要件を満たすターゲット設定情報を決定し、ターゲット設定情報に基づいてＰＤＣＣＨの検出を行うことにより、異なるシナリオにおけるＰＤＣＣＨの監視を満たし、端末の余分な電力消費を発生させずに伝送効率を向上させることができる。
【０１３２】
なお、以上のネットワーク装置と端末の各モジュールの区分は、論理機能の区分に過ぎず、実際に実現する時に全部又は一部を１つの物理的実体に集積してもよく、物理的に分離してもよい。これらのモジュールは、全て処理素子によりソフトウェアを呼び出す形態で実現されてもよく、全てハードウェアの形態で実現されてもよく、さらに、一部のモジュールは処理素子によりソフトウェアを呼び出す形態で実現され、一部のモジュールはハードウェアの形態で実現されてもよい。例えば、決定モジュールは、別個に設定された処理素子であってもよく、上記装置のあるチップに集積されて実現されてもよく、また、プログラムコードの形態で上記装置のメモリに記憶され、上記装置のある処理素子によって呼び出されて、以上の決定モジュールの機能を実行してもよい。他のモジュールの実現はそれに類似する。また、これらのモジュールは、全て又は一部が集積されてもよく、別個に実現されてもよい。ここでの処理素子は、信号の処理能力を有する集積回路であってよい。実現プロセスにおいて、上記方法の各ステップ又は以上の各モジュールは、プロセッサ素子におけるハードウェアの集積論理回路又はソフトウェア形態のコマンドによって達成することができる。
【０１３３】
例えば、以上のこれらのモジュールは、以上の方法を実施する１つ以上の集積回路、例えば、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ以上のデジタルシグナルプロセッサ（ｄｉｇｉｔａｌ  ｓｉｇｎａｌ  ｐｒｏｃｅｓｓｏｒ、ＤＳＰ）、又は１つ以上のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などとして構成されてよい。また、以上のいずれかのモジュールが処理素子によりプログラムコードを呼び出す形態で実現されると、該処理素子は、中央処理装置（Ｃｅｎｔｒａｌ  Ｐｒｏｃｅｓｓｉｎｇ  Ｕｎｉｔ、ＣＰＵ）又はプログラムコードを呼び出し可能な他のプロセッサなどの汎用プロセッサであってよい。また、これらのモジュールは集積されて、システムオンチップ（ｓｙｓｔｅｍ−ｏｎ−ａ−ｃｈｉｐ、ＳＯＣ）の形態で実現することができる。
【０１３４】
上記目的をよりよく達成するために、本開示の実施例は、プロセッサと、メモリと、メモリに記憶されてプロセッサ上で実行可能で、プロセッサによって実行されると、上記チャネル検出指示方法におけるステップを実現するコンピュータプログラムとを含むネットワーク装置をさらに提供する。本開示の実施例に係るコンピュータ可読記憶媒体には、プロセッサによって実行されると、上記チャネル検出指示方法のステップを実現するコンピュータプログラムが記憶されている。
【０１３５】
具体的には、本開示の実施例は、ネットワーク装置をさらに提供する。図８に示すように、該ネットワーク装置８００は、アンテナ８１、無線周波数装置８２及びベースバンド装置８３を含む。アンテナ８１は無線周波数装置８２に接続される。アップリンク方向に、無線周波数装置８２は、アンテナ８１により情報を受信し、かつ受信した情報をベースバンド装置８３に送信して処理を行う。ダウンリンク方向に、ベースバンド装置８３は、送信対象となる情報を処理し、かつ無線周波数装置８２に送信し、無線周波数装置８２は、受信した情報を処理してからアンテナ８１により送信する。
【０１３６】
上記帯域処理装置は、ベースバンド装置８３内に位置してよく、以上の実施例におけるネットワーク装置が実行する方法は、ベースバンド装置８３において実現されてよく、該ベースバンド装置８３は、プロセッサ８４とメモリ８５を含む。
【０１３７】
ベースバンド装置８３は、例えば、複数のチップが設置された少なくとも１つのベースバンドボードを含んでよく、図８に示すように、例えば、プロセッサ８４であるチップは、メモリ８５に接続されて、メモリ８５中のプログラムを呼び出して、以上の方法の実施例において示したネットワーク装置の動作を実行する。
【０１３８】
該ベースバンド装置８３は、無線周波数装置８２と情報を受け渡しするネットワークインタフェース８６をさらに含んでよく、該インタフェースは、例えば共通公衆無線インタフェース（ｃｏｍｍｏｎ  ｐｕｂｌｉｃ  ｒａｄｉｏ  ｉｎｔｅｒｆａｃｅ、ＣＰＲＩ）である。
【０１３９】
ここでのプロセッサは、１つのプロセッサであってもよく、複数の処理素子の総称であってもよく、例えば、該プロセッサは、ＣＰＵであってもよく、ＡＳＩＣであってもよく、或いは、以上のネットワーク装置によって実行される方法を実施するように構成された１つ以上の集積回路、例えば、１つ以上のマイクロプロセッサ、又はＤＳＰ、又は１つ以上のフィールドプログラマブルゲートアレイＦＰＧＡなどである。記憶素子は、１つのメモリであってもよく、複数の記憶素子の総称であってもよい。
【０１４０】
メモリ８５は、揮発性メモリ又は不揮発性メモリであってもよく、揮発性と不揮発性メモリの両方を含んでもよい。不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）などの多くの形態のＲＡＭは使用可能である。本願において説明されるメモリ８５は、これらと他の任意の適切なタイプのメモリを含むが、それらに限定されない。
【０１４１】
具体的には、本開示の実施例に係るネットワーク装置は、メモリ８５に記憶されてプロセッサ８４上で実行可能なコンピュータプログラムをさらに含み、プロセッサ８４は、メモリ８５内のコンピュータプログラムを呼び出して、図７に示す各モジュールによって実行される方法を実行する。
【０１４２】
具体的には、コンピュータプログラムは、プロセッサ８４によって呼び出されると、無線リソース制御ＲＲＣシグナリングにより、物理ダウンリンク制御チャネルＰＤＣＣＨの監視に関連する少なくとも２セットの設定情報を端末に送信することを実行することができる。
【０１４３】
ＰＤＣＣＨは、少なくとも一種のＤＣＩフォーマットに対応し、及び／又は、少なくとも一種の無線ネットワーク一時識別子ＲＮＴＩに対応する。
【０１４４】
設定情報は、
少なくとも１つの制御リソースセットと、
少なくとも１つのサーチスペースと、
少なくとも１つのＰＤＣＣＨ候補と、
少なくとも１つのアグリゲーションレベルと、
ＰＤＣＣＨ候補の数と、
各スロットにおいて監視されるＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む。
【０１４５】
コンピュータプログラムは、プロセッサ８４によって呼び出されると、少なくとも２セットの設定情報のうちのターゲット設定情報を指示するためのダウンリンク制御情報ＤＣＩを端末に送信することを実行することができる。
【０１４６】
ＤＣＩは、スケジューリングＤＣＩ又は非スケジューリングＤＣＩである。
【０１４７】
コンピュータプログラムは、プロセッサ８４によって呼び出されると、端末がＤＣＩを検出したか否かに応じてフィードバックする応答情報又は非応答情報ＡＣＫ／ＮＡＣＫを受信することを実行することができる。
【０１４８】
コンピュータプログラムは、プロセッサ８４によって呼び出されると、報告情報を受信することを実行することができ、報告情報は、
端末がＤＲＸ短期サイクル又はＤＲＸ長期サイクルを含むＤＲＸサイクルのアクティブ期間にあるときに対応する第１の設定情報候補と、
端末がＤＲＸサイクル内の非アクティブタイマーの計時期間にあるときに対応する第２の設定情報候補と、
端末が接続状態でのＤＲＸオフ期間にあるときに対応する第３の設定情報候補とのうちの少なくとも１つを指示する。ネットワーク装置は、移動通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）又は符号分割多重アクセス（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）における基地局（ＮｏｄｅＢ、ＮＢ）であってもよく、さらに、ＬＴＥにおける進化型基地局（Ｅｖｏｌｕｔｉｏｎａｌ  Ｎｏｄｅ  Ｂ、ｅＮＢ又はｅＮｏｄｅＢ）又は中継局又はアクセスポイント、又は将来の５Ｇネットワークにおける基地局などであってもよく、ここで限定されない。
【０１４９】
本開示の実施例におけるネットワーク装置は、端末に対して少なくとも２セットのＰＤＣＣＨの監視に関する設定情報を設定し、端末は、この少なくとも２セットの設定情報から実際の要件を満たすターゲット設定情報を決定し、ターゲット設定情報に基づいてＰＤＣＣＨの検出を行うことにより、異なるシナリオにおけるＰＤＣＣＨの監視を満たし、端末の余分な電力消費を発生させずに伝送効率を向上させることができる。
【０１５０】
当業者であれば理解できるように、本明細書で開示される実施例と組み合わせて説明された各例のユニット及びアルゴリズムステップは、電子ハードウェア、又はコンピュータソフトウェアと電子ハードウェアとの組み合わせにより実現することができる。これらの機能がハードウェアの形態で実行されるか又はソフトウェアの形態で実行されるかは、技術手段の特定の適用及び設計上の制約条件に依存する。当業者であれば、各特定の適用に対して異なる方法で説明された機能を実現してよいが、このような実現は本開示の範囲を超えると考えられるべきではない。
【０１５１】
当業者であれば明確に理解できるように、便利かつ簡潔で説明するために、上述したシステム、装置及びユニットの具体的な動作プロセスについては、前述の方法の実施例における対応するプロセスを参照することができ、ここでは説明を省略する。
【０１５２】
本願に係る実施例において、開示される装置及び方法は他の形態によって実現することができることとを理解されたい。例えば、上述した装置の実施例は、例示的なものに過ぎず、例えば、前記ユニットの区分は、論理機能の区分に過ぎず、実際に実現する場合に他の区分方式があり得て、例えば、複数のユニット又は構成部品は組み合わせられてもよいか又は別のシステムに集積されてもよく、いくつかの特徴は無視されてもよいか又は実行されなくてもよい。また、示されるか又は議論される相互結合、直接結合又は通信接続は、いくつかのインタフェースを使用して実現でき、装置又はユニット間の間接結合又は通信接続は、電気的、機械的、又は他の形態であってもよい。
【０１５３】
分離部品として説明した前記ユニットは、物理的に分離しても分離しなくてもよく、ユニットとして表示される部品は、物理ユニットであってもよいし、そうでなくてもよく、すなわち、１つの箇所に位置してもよく、複数のネットワークユニットに分布してもよい。実際の要件に応じて、それらのうちの一部又は全てのユニットを選択して本実施例の技術手段の目的を達成してよい。
【０１５４】
また、本開示の各実施例における各機能ユニットは１つの処理ユニットに集積されてよく、各ユニットは別個に物理的に存在してよく、さらに２つ以上のユニットは１つのユニットに集積されてよい。
【０１５５】
上記機能は、ソフトウェア機能ユニットの形態で実現され、かつ独立した製品として販売又は使用されれば、コンピュータ読み取り可能な記憶媒体に記憶されてもよい。このような理解に基づいて、本開示の技術的解決手段の要旨、又は従来技術に寄与する部分、又は該技術的解決手段の一部は、コンピュータ装置（パーソナルコンピュータ、サーバ、又はネットワーク装置等であってよい）に本開示の各実施例に記載の方法の全部又は一部のステップを実行させるための幾つかの命令を含む、記憶媒体に記憶されているソフトウェア製品の形態で実現されてよい。前述の記憶媒体は、Ｕディスク、リムーバブルハードディスク、ＲＯＭ、ＲＡＭ、磁気ディスク又は光ディスクなどの、プログラムコードを記憶できる様々な媒体を含む。
【０１５６】
なお、本開示の装置及び方法において、明らかに、各部品又は各ステップは、分解及び／又は再組み合わせが可能である。これらの分解及び／又は再組み合わせは、本開示の等価な方案と見なすべきである。そして、上記一連の処理を実行するステップは、自然的に説明の順に時間順に実行することができるが、必ずしも時間順に実行される必要がなく、いくつかのステップは並列的に又は互いに独立して実行することもできる。当業者であれば理解できるように、本開示の方法及び装置の全て又は任意のステップや部品は、任意の計算装置（プロセッサ、記憶媒体などを含む）又は計算装置のネットワークにおいて、ハードウェア、ファームウェア、ソフトウェア又はそれらの組み合わせによって実現することができ、これは、当業者が本開示の説明を読んだ上で彼らの基本的なプログラミングスキルを利用して実現できるものである。
【０１５７】
したがって、本開示の目的は、任意の計算装置上で、１つのプログラムを実行したり、１セットのプログラムを実行したりすることにより実現することができる。前記計算装置は、公知の汎用装置であってよい。したがって、本開示の目的は、さらに、前記方法又は装置を実現するプログラムコードを含むプログラム製品のみを提供することにより達成することができる。すなわち、このようなプログラム製品も本開示を構成するものであり、かつこのようなプログラム製品が記憶されている記憶媒体も本開示を構成するものである。明らかに、前記記憶媒体は、任意の公知の記憶媒体又は将来に開発される任意の記憶媒体であってよい。なお、本開示の装置及び方法において、明らかに、各部品又は各ステップは、分解及び／又は再組み合わせが可能である。これらの分解及び／又は再組み合わせは、本開示の等価な方案と見なすべきである。そして、上記一連の処理を実行するステップは、自然的に説明の順に時間順に実行することができるが、必ずしも時間順に実行される必要がない。いくつかのステップは並列的に又は互いに独立して実行することもできる。
【０１５８】
以上の記載は、本開示の好ましい実施形態であり、なお、当業者であれば、本開示の上記原理から逸脱しない前提でいくつかの改良と修飾を行ってもよく、これらの改良と修飾も本開示の保護範囲に含まれる。
【図１】
2021530944.tif 000005
【図２】
2021530944.tif 000006
【図３】
2021530944.tif 000007
【図４】
2021530944.tif 000008
【図５】
2021530944.tif 000009
【図６】
2021530944.tif 000010
【図７】
2021530944.tif 000011
【図８】
2021530944.tif 000012
【手続補正書】
【提出日】令和3年3月1日(2021.3.1)
【手続補正１】
【補正対象書類名】明細書
【補正対象項目名】００９２
【補正方法】変更
【補正の内容】
【００９２】
端末４００は、
ネットワーク装置に報告情報を送信する報告モジュールをさらに含み、報告情報は、
ＤＲＸ短期サイクル又はＤＲＸ長期サイクルを含むＤＲＸサイクルのアクティブ期間に対応する第１の設定情報候補と、
ＤＲＸサイクル内の非アクティブタイマーの計時期間に対応する第２の設定情報候補と、
接続状態でのＤＲＸオフ期間に対応する第３の設定情報候補とのうちの少なくとも１つを指示する。
【手続補正２】
【補正対象書類名】明細書
【補正対象項目名】０１２６
【補正方法】変更
【補正の内容】
【０１２６】
設定情報は、
少なくとも１つの制御リソースセットと、
少なくとも１つのサーチスペースと、
少なくとも１つのＰＤＣＣＨ候補と、
少なくとも１つのアグリゲーションレベルと、
ＰＤＣＣＨ候補の数と、
各スロットにおいて監視されるＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む。
【手続補正３】
【補正対象書類名】特許請求の範囲
【補正対象項目名】全文
【補正方法】変更
【補正の内容】
【特許請求の範囲】
【請求項１】
端末に適用されるチャネル検出指示方法であって、
物理ダウンリンク制御チャネルＰＤＣＣＨの監視に関連する少なくとも２セットの設定情報を取得することと、
前記少なくとも２セットの設定情報からターゲット設定情報を決定することと、
前記ターゲット設定情報に基づいて、前記物理ダウンリンク制御チャネルＰＤＣＣＨを検出することとを含む、チャネル検出指示方法。
【請求項２】
前記物理ダウンリンク制御チャネルＰＤＣＣＨは、少なくとも一種のダウンリンク制御情報ＤＣＩフォーマットに対応し、及び／又は、少なくとも一種の無線ネットワーク一時識別子ＲＮＴＩに対応する、請求項１に記載のチャネル検出指示方法。
【請求項３】
前記少なくとも２セットの設定情報は、予め定義されるものであるか、又は、ネットワーク装置が無線リソース制御ＲＲＣシグナリングにより設定されるものであり、
前記少なくとも２セットの設定情報からターゲット設定情報を決定するステップは、
ダウンリンク制御情報ＤＣＩに基づいて、前記少なくとも２セットの設定情報から前記ダウンリンク制御情報ＤＣＩにより指示される１セットの設定情報を選択して前記ターゲット設定情報として決定すること、
又は、
第１のトリガ条件を満たす場合、前記ターゲット設定情報を第１の設定情報から第２の設定情報に切り替えること、
又は、
第２のトリガ条件を満たす場合、前記ターゲット設定情報を前記第２の設定情報から前記第１の設定情報に切り替えることを含み、
前記少なくとも２セットの設定情報のうちの１セットの設定情報である前記第２の設定情報は、前記少なくとも２セットの設定情報のうちの１セットの設定情報である前記第１の設定情報とは異なる、請求項１に記載のチャネル検出指示方法。
【請求項４】
前記第１のトリガ条件は、
所定のダウンリンク制御情報ＤＣＩフォーマットのうちの一種であるターゲットダウンリンク制御情報ＤＣＩフォーマットが搬送されている第１の物理ダウンリンク制御チャネルＰＤＣＣＨを受信したこと、又は、
セル無線ネットワーク一時識別子Ｃ−ＲＮＴＩ及び設定されたスケジューリング無線ネットワーク一時識別子ＣＳ−ＲＮＴＩのうちの少なくとも一種を含むターゲットＲＮＴＩによってスクランブルされた第２の物理ダウンリンク制御チャネルＰＤＣＣＨを受信したことを含む、請求項３に記載のチャネル検出指示方法。
【請求項５】
第１のトリガ条件を満たす場合、前記ターゲット設定情報を第１の設定情報から第２の設定情報に切り替えるステップは、
不連続受信ＤＲＸシナリオにおいて、ＤＲＸサイクルのアクティブ期間に前記第１の物理ダウンリンク制御チャネルＰＤＣＣＨ又は前記第２の物理ダウンリンク制御チャネルＰＤＣＣＨを受信すると、前記ターゲット設定情報を第１の設定情報から第２の設定情報に切り替えることを含む、請求項４に記載のチャネル検出指示方法。
【請求項６】
前記第２のトリガ条件は、
スロットｓｌｏｔ、ミニスロットｍｉｎｉ−ｓｌｏｔ、ミリ秒又は時間領域シンボルを含むＮ（Ｎが正の整数である）個の時間領域送信ユニットにおいて、ターゲットダウンリンク制御情報ＤＣＩフォーマットが搬送されているか、又はセル無線ネットワーク一時識別子Ｃ−ＲＮＴＩ及びスケジューリング無線ネットワーク一時識別子ＣＳ−ＲＮＴＩのうちの少なくとも一種を含むターゲットＲＮＴＩによってスクランブルされているターゲット物理ダウンリンク制御チャネルＰＤＣＣＨを受信しないことと、
不連続受信ＤＲＸシナリオにおいて、ＤＲＸサイクルの非アクティブタイマーがタイムアウトすることと、
ＤＲＸ共通媒体アクセス制御ＭＡＣ層の制御要素ＣＥを受信すると、ＭＡＣ層ＣＥの指示に基づいて、ＤＲＸサイクルのスリープ期間に入ることと、のうちの１つを含む、請求項３に記載のチャネル検出指示方法。
【請求項７】
前記ＤＲＸサイクルは、ＤＲＸ短期サイクル又はＤＲＸ長期サイクルを含み、
前記ＤＲＸ短期サイクル及び前記ＤＲＸ長期サイクルは、異なる第１の設定情報に対応するか、又は同一の第１の設定情報に対応する、請求項５又は６に記載のチャネル検出指示方法。
【請求項８】
前記設定情報は、
少なくとも１つの制御リソースセットと、
少なくとも１つのサーチスペースと、
少なくとも１つの物理ダウンリンク制御チャネルＰＤＣＣＨ候補と、
少なくとも１つのアグリゲーションレベルと、
前記物理ダウンリンク制御チャネルＰＤＣＣＨ候補の数と、
各スロットにおいて監視される前記物理ダウンリンク制御チャネルＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む、請求項３に記載のチャネル検出指示方法。
【請求項９】
前記第１の設定情報と前記第２の設定情報との関係は、
前記設定情報が少なくとも１つの制御リソースセットを含む場合、前記第１の設定情報により指示される制御リソースセットの数が、前記第２の設定情報により指示される制御リソースセットの数より大きいことと、
前記設定情報が少なくとも１つのサーチスペースを含む場合、前記第１の設定情報により指示されるサーチスペースの数が、前記第２の設定情報により指示されるサーチスペースの数より大きいことと、
前記設定情報が少なくとも１つの物理ダウンリンク制御チャネルＰＤＣＣＨ候補又は前記物理ダウンリンク制御チャネルＰＤＣＣＨ候補の数を含む場合、前記第１の設定情報により指示される物理ダウンリンク制御チャネルＰＤＣＣＨ候補の数が、前記第２の設定情報により指示される物理ダウンリンク制御チャネルＰＤＣＣＨ候補の数より大きいことと、
前記設定情報が少なくとも１つのアグリゲーションレベルを含む場合、前記第１の設定情報により指示されるアグリゲーションレベル数が、前記第２の設定情報により指示されるアグリゲーションレベル数より大きいことと、
前記設定情報が各スロットにおいて監視される前記物理ダウンリンク制御チャネルＰＤＣＣＨ候補の最大数を含む場合、前記第１の設定情報により指示される最大数が、前記第２の設定情報により指示される最大数より大きいことと、
前記設定情報が監視パラメータを含む場合、前記第１の設定情報により指示される監視サイクルが、前記第２の設定情報により指示される監視サイクルより小さいことと、のうちの少なくとも１つを含む、請求項８に記載のチャネル検出指示方法。
【請求項１０】
ダウンリンク制御情報ＤＣＩに基づいて、前記少なくとも２セットの設定情報から前記ダウンリンク制御情報ＤＣＩにより指示される１セットの設定情報を選択して前記ターゲット設定情報として決定するステップの前に、
前記ダウンリンク制御情報ＤＣＩを検出することと、
前記ダウンリンク制御情報ＤＣＩの検出結果に基づいて、応答情報又は非応答情報ＡＣＫ／ＮＡＣＫをネットワーク装置にフィードバックすることとをさらに含む、請求項３に記載のチャネル検出指示方法。
【請求項１１】
少なくとも２セットの設定情報を取得するステップの前に、
ネットワーク装置に報告情報を送信することをさらに含み、
前記報告情報は、
ＤＲＸ短期サイクル又はＤＲＸ長期サイクルを含むＤＲＸサイクルのアクティブ期間に対応する第１の設定情報候補と、
前記ＤＲＸサイクル内の非アクティブタイマーの計時期間に対応する第２の設定情報候補と、
接続状態でのＤＲＸオフ期間に対応する第３の設定情報候補とのうちの少なくとも１つを指示する、請求項１に記載のチャネル検出指示方法。
【請求項１２】
物理ダウンリンク制御チャネルＰＤＣＣＨの監視に関連する少なくとも２セットの設定情報を取得する取得モジュールと、
前記少なくとも２セットの設定情報からターゲット設定情報を決定する処理モジュールと、
前記ターゲット設定情報に基づいて、前記物理ダウンリンク制御チャネルＰＤＣＣＨを検出する検出モジュールとを含む、端末。
【請求項１３】
ネットワーク装置に適用されるチャネル検出指示方法であって、
無線リソース制御ＲＲＣシグナリングにより、物理ダウンリンク制御チャネルＰＤＣＣＨの監視に関連する少なくとも２セットの設定情報を端末に送信することと、
前記少なくとも２セットの設定情報のうちのターゲット設定情報を指示するためのダウンリンク制御情報ＤＣＩを前記端末に送信することと、を含む、チャネル検出指示方法。
【請求項１４】
前記設定情報は、
少なくとも１つの制御リソースセットと、
少なくとも１つのサーチスペースと、
少なくとも１つの物理ダウンリンク制御チャネルＰＤＣＣＨ候補と、
少なくとも１つのアグリゲーションレベルと、
前記物理ダウンリンク制御チャネルＰＤＣＣＨ候補の数と、
各スロットにおいて監視される前記物理ダウンリンク制御チャネルＰＤＣＣＨ候補の最大数と、
監視サイクル、オフセット量、持続時間及び１つのタイムスロットの先頭監視シンボルのうちの少なくとも１つを含む監視パラメータと、のうちの少なくとも１つを指示する情報を含む、請求項１３に記載のチャネル検出指示方法。
【請求項１５】
無線リソース制御ＲＲＣシグナリングにより、物理ダウンリンク制御チャネルＰＤＣＣＨの監視に関連する少なくとも２セットの設定情報を端末に送信する第１の送信モジュールと、
前記少なくとも２セットの設定情報のうちのターゲット設定情報を指示するためのダウンリンク制御情報ＤＣＩを前記端末に送信する第２の送信モジュールと、を含む、ネットワーク装置。
【国際調査報告】
2021530944.tif 000013
2021530944.tif 000014
2021530944.tif 000015
2021530944.tif 000016
2021530944.tif 000017
2021530944.tif 000018